(57)【要約】      （修正有）【課題】ワイヤレス通信のためのシステムおよび方法を提供する。【解決手段】方法は、第１の基地局によってユーザ機器（ＵＥ）への接続を確立することと、ＵＥが同じくそれに接続することができる第２の基地局を識別することと、基地局へのＵＥのデュアル接続性が許可されるか否かを決定することと、決定することに基づいてＵＥを第２の基地局にハンドオーバすること、またはＵＥのためのデュアル接続性を開始することを選択することとを含む。別の方法は、マスタ基地局と２次基地局へのＵＥのデュアル接続性のための、第１のゲートウェイノードを介してルーティングされるベアラを変更する要求を受信することと、変更がベアラを第２のゲートウェイノードに再配置するか否かを決定することと、決定することに基づいて要求を拒否するか、またはＵＥに関連付けられた全てのベアラを第２のゲートウェイノードに再配置することとを含む。【選択図】図１６
2019195202.tif 000002
【特許請求の範囲】
【請求項１】
ワイヤレス通信システムの第１の基地局によってユーザ機器（ＵＥ）への接続を確立することと、
前記ＵＥが前記第１の基地局に接続されている間にも接続することが可能である第２の基地局を識別することと、
前記第１の基地局と前記第２の基地局とへの前記ＵＥのデュアル接続性が許可されるかどうかを決定することと、
前記決定することに基づいて、前記ＵＥを前記第２の基地局にハンドオーバすること、または、前記第２の基地局への前記ＵＥのための前記デュアル接続性を開始すること、のうちの１つを選択することと
を備える、ワイヤレス通信の方法。
【請求項２】
前記第１の基地局と前記第２の基地局とへの前記ＵＥのデュアル接続性のための、第１のゲートウェイノードを介してルーティングされるベアラの変更を要求することをさらに備える、請求項１に記載の方法。
【請求項３】
前記ベアラの変更を要求することに応答して、サービングゲートウェイ再配置の指示を受信することをさらに備える、請求項２に記載の方法。
【請求項４】
前記デュアル接続性が許可されるかどうかを決定することは、前記第２の基地局の識別情報に少なくとも部分的に基づく、請求項１に記載の方法。
【請求項５】
前記デュアル接続性が許可されるかどうかを決定することは、前記第１の基地局の構成に少なくとも部分的に基づく、請求項１に記載の方法。
【請求項６】
前記デュアル接続性が許可されるかどうかを決定することは、前記デュアル接続性をサポートする前記第２の基地局の能力に少なくとも部分的に基づく、請求項１に記載の方法。
【請求項７】
前記デュアル接続性が許可されるかどうかを決定することは、モビリティ管理エンティティ（ＭＭＥ）または別の基地局のうちの少なくとも１つによって前記第１の基地局に与えられた前記ＵＥへの前記接続のためのコンテキスト情報に少なくとも部分的に基づく、請求項１に記載の方法。
【請求項８】
前記デュアル接続性が許可されるかどうかを決定することは、前記ＵＥの能力に少なくとも部分的に基づく、請求項１に記載の方法。
【請求項９】
前記決定することは、前記ＵＥに関連付けられた１つまたは複数のベアラのサービス品質要件に少なくとも部分的に基づく、請求項１に記載の方法。
【請求項１０】
前記選択することは、前記デュアル接続性を開始することに対する前記ハンドオーバすることについての定義済みの優先度に少なくとも部分的に基づく、請求項１に記載の方法。
【請求項１１】
前記選択することは、測定基準に少なくとも部分的にさらに基づく、請求項１に記載の方法。
【請求項１２】
前記選択することは、前記ＵＥに関連付けられた１つまたは複数のベアラのトラフィック量に少なくとも部分的にさらに基づく、請求項１に記載の方法。
【請求項１３】
ワイヤレス通信システムの第１の基地局によってユーザ機器（ＵＥ）への接続を確立するための手段と、
前記ＵＥが前記第１の基地局に接続されている間にも接続することが可能である第２の基地局を識別するための手段と、
前記第１の基地局と前記第２の基地局とへの前記ＵＥのデュアル接続性が許可されるかどうかを決定するための手段と、
前記決定することに基づいて、前記ＵＥを前記第２の基地局にハンドオーバすること、または、前記第２の基地局への前記ＵＥのための前記デュアル接続性を開始すること、のうちの１つを選択するための手段と
を備える、ワイヤレス通信のために構成された装置。
【請求項１４】
デュアル接続性が許可されるかどうかを決定することは、前記第２の基地局の識別情報、前記第１の基地局の構成、前記デュアル接続性をサポートする前記第２の基地局の能力、モビリティ管理エンティティ（ＭＭＥ）若しくは別の基地局のうちの少なくとも１つによって前記第１の基地局に与えられた前記ＵＥへの前記接続のためのコンテキスト情報、前記ＵＥの能力、または、前記ＵＥに関連付けられた１つまたは複数のベアラのサービス品質要件、のうちの１つまたは複数に少なくとも部分的に基づく、請求項１３に記載の装置。
【請求項１５】
前記選択することは、前記デュアル接続性を前記開始することに対する前記ハンドオーバすることについての定義済みの優先度、測定基準、または、前記ＵＥに関連付けられた１つまたは複数のベアラのトラフィック量、のうちの１つまたは複数に少なくとも部分的に基づく、請求項１３に記載の装置。
【請求項１６】
プロセッサによって実行されたとき、コンピュータに、
コアネットワークエンティティによって、マスタ基地局と２次基地局とへのユーザ機器（ＵＥ）のデュアル接続性のための、第１のゲートウェイノードを介してルーティングされるベアラの変更についての要求を受信することと、
前記変更は前記ベアラが第２のゲートウェイノードに再配置されることを必要とすると決定することと、
前記決定することに基づいて、前記要求を拒否すること、または、前記ＵＥに関連付けられたすべての前記ベアラを前記第２のゲートウェイノードに再配置すること、のうちの少なくとも１つを実施することと
を備えるステップを実施させる、符号化された命令を保持する非一時的コンピュータ可読媒体。
【請求項１７】
前記実施することは、前記ＵＥに関連付けられた前記ベアラのすべてよりも少ないベアラが変更についての前記要求の中に含まれる場合、前記要求を拒否することを備える、請求項１６に記載のコンピュータ可読媒体。
【請求項１８】
前記実施することは、前記２次基地局への前記ＵＥのデュアル接続性が許可されない場合、前記要求を拒否することを備える、請求項１６に記載のコンピュータ可読媒体。
【請求項１９】
前記実施することは、前記ベアラのうちの１つまたは複数が前記２次基地局におけるデュアル接続性に対して許可されない場合、前記要求を拒否することを備える、請求項１６に記載のコンピュータ可読媒体。
【請求項２０】
前記ステップは、前記拒否することの理由を示すメッセージで前記要求に返答することをさらに備え、
前記理由は、ゲートウェイノード再配置が必要とされること、ゲートウェイ再配置がサポートされないこと、前記２次基地局とのデュアル接続性が許可されないこと、および、変更が要求されたベアラが、特定のベアラの識別情報を含むデュアル接続性に対して許可されないこと、のうちの１つまたは複数を備える、請求項１６に記載のコンピュータ可読媒体。
【請求項２１】
前記ステップは、ベアラの変更についての前記要求の中に含まれる識別子に基づいて、前記マスタ基地局および前記２次基地局のうちの１つまたは複数を識別することをさらに備える、請求項１６に記載のコンピュータ可読媒体。
【請求項２２】
前記ステップは、ベアラの変更についての前記要求の中で、前記ＵＥに関連付けられたベアラを前記マスタ基地局または前記２次基地局によってサービスされていると識別することをさらに備える、請求項１６に記載のコンピュータ可読媒体。
【請求項２３】
前記ＵＥに関連付けられたすべての前記ベアラを前記第２のゲートウェイノードに再配置することは、前記ＵＥに関連付けられた、前記要求の中に含まれない前記ベアラを前記第２のゲートウェイノードに再配置されるように変更することを備え、
前記ＵＥに関連付けられた、前記要求の中に含まれない前記ベアラが前記マスタ基地局によってサービスされ続ける、
請求項１６に記載のコンピュータ可読媒体。
【請求項２４】
ゲートウェイノードの再配置が必要とされると決定することは、前記２次基地局の識別情報に基づく、請求項１６に記載のコンピュータ可読媒体。
【請求項２５】
ゲートウェイノードの再配置が必要とされると決定することは、前記２次基地局が前記第１のゲートウェイノードによってサービスされるか否かに基づく、請求項１６に記載のコンピュータ可読媒体。
【請求項２６】
ワイヤレス通信のために構成された装置であって、前記装置は、
少なくとも１つのプロセッサと、
前記少なくとも１つのプロセッサに結合されたメモリと
を備え、
前記少なくとも１つのプロセッサは、
コアネットワークエンティティによって、マスタ基地局と２次基地局とへのユーザ機器（ＵＥ）のデュアル接続性のための、第１のゲートウェイノードを介してルーティングされるベアラの変更についての要求を受信することと、
前記変更は前記ベアラが第２のゲートウェイノードに再配置されることを必要とすると決定することと、
前記決定することに基づいて、前記要求を拒否すること、または、前記ＵＥに関連付けられたすべての前記ベアラを前記第２のゲートウェイノードに再配置すること、のうちの少なくとも１つを実施することと
を行うように構成された、
装置。
【請求項２７】
前記実施することは、前記ＵＥに関連付けられた前記ベアラのすべてよりも少ないベアラが変更についての前記要求の中に含まれる場合、または前記２次基地局への前記ＵＥのデュアル接続性が許可されない場合、または前記ベアラのうちの１つまたは複数が前記２次基地局におけるデュアル接続性に対して許可されない場合、前記要求を拒否することを備える、請求項２６に記載の装置。
【請求項２８】
前記ＵＥに関連付けられたすべての前記ベアラを前記第２のゲートウェイノードに再配置することは、前記ＵＥに関連付けられた、前記要求の中に含まれない前記ベアラを前記第２のゲートウェイノードに再配置されるように変更することを備え、
前記ＵＥに関連付けられた、前記要求の中に含まれない前記ベアラは、前記マスタ基地局によってサービスされ続ける、
請求項２６に記載の装置。
【請求項２９】
ゲートウェイノードの再配置が必要とされると決定することは、前記２次基地局の識別情報に基づく、請求項２６に記載の装置。
【請求項３０】
ゲートウェイノードの再配置が必要とされると決定することは、前記２次基地局が前記第１のゲートウェイノードによってサービスされるか否かに基づく、請求項２６に記載の装置。
【発明の詳細な説明】
【技術分野】
【０００１】
関連出願の相互参照
[0001]本出願は、その内容全体が参照により本明細書に組み込まれる、２０１３年１２月１９日に出願された「SECURE GATEWAY RELOCATION AND SECONDARY NODE ELIGIBILITY FOR DUAL CONNECTIVITY」と題する米国仮特許出願第６１／９１８，６５９号の優先権および利益を主張する。
【０００２】
[0002]本開示は、一般にワイヤレス通信ネットワークにおけるデータ送信に関する。
【背景技術】
【０００３】
[0003]ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]ワイヤレス通信ネットワークは、複数のキャリア上での動作をサポートし得る。キャリアは、通信のために使用される周波数の範囲を指すことがあり、いくつかの特性に関連付けられ得る。たとえば、キャリアは、そのキャリア上での動作を記述するシステム情報に関連付けられ得る。キャリアは、コンポーネントキャリア（ＣＣ）、周波数チャネル、セルなどと呼ばれることもある。基地局は、キャリアアグリゲーションのために複数のキャリア上でデータおよび／または制御情報をＵＥに送信し得る。ＵＥは、複数のキャリア上でデータおよび／または制御情報を基地局に送信し得る。
【発明の概要】
【０００６】
[0006]以下で、１つまたは複数の実施形態の基本的理解を与えるために、そのような実施形態の簡略化された概要を提示する。この概要は、すべての企図された実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形で提示することである。
【０００７】
[0007]本発明の第１の態様では、ワイヤレス通信の方法が提供される。本方法は、ワイヤレス通信システムの第１の基地局によってユーザ機器（ＵＥ）への接続を確立することと、ＵＥが第１の基地局に接続されている間にも接続することが可能である第２の基地局を識別することとを含み得る。本方法はまた、第１の基地局と第２の基地局とへのＵＥのデュアル接続性（dual connectivity）が許可されるかどうかを決定することと、決定することに基づいて、ＵＥを第２の基地局にハンドオーバすること、または第２の基地局へのＵＥのためのデュアル接続性を開始することのうちの１つを選択することとを含み得る。
【０００８】
[0008]本発明の第２の態様では、ワイヤレス通信のために構成された装置が提供される。本装置は、ワイヤレス通信システムの第１の基地局によってユーザ機器（ＵＥ）への接続を確立するための手段と、ＵＥが第１の基地局に接続されている間にも接続することが可能である第２の基地局を識別するための手段とを含み得る。本装置はまた、第１の基地局と第２の基地局とへのＵＥのデュアル接続性が許可されるかどうかを決定するための手段と、決定することに基づいて、ＵＥを第２の基地局にハンドオーバすること、または第２の基地局へのＵＥのためのデュアル接続性を開始することのうちの１つを選択するための手段とを含み得る。
【０００９】
[0009]本発明の第３の態様では、プロセッサによって実行されたとき、コンピュータにステップを実施させる、符号化された命令を保持する非一時的コンピュータ可読媒体が提供される。ステップは、コアネットワークエンティティによって、マスタ基地局と２次基地局とへのユーザ機器（ＵＥ）のデュアル接続性のための、第１のゲートウェイノードを介してルーティングされるベアラの変更についての要求を受信することを含み得る。ステップはまた、変更が、ベアラが第２のゲートウェイノードに再配置されることを必要とすると決定することと、決定することに基づいて、要求を拒否すること、またはＵＥに関連付けられたすべてのベアラを第２のゲートウェイノードに再配置することのうちの少なくとも１つを実施することとを含み得る。
【００１０】
[0010]本発明の第４の態様では、ワイヤレス通信のために構成された装置が提供される。本装置は、少なくとも１つのプロセッサと、少なくとも１つのプロセッサに結合されたメモリとを含み得る。少なくとも１つのプロセッサは、コアネットワークエンティティによって、マスタ基地局と２次基地局とへのユーザ機器（ＵＥ）のデュアル接続性のための、第１のゲートウェイノードを介してルーティングされるベアラの変更についての要求を受信するために構成され得る。少なくとも１つのプロセッサはまた、変更が、ベアラが第２のゲートウェイノードに再配置されることを必要とすると決定することと、決定することに基づいて、要求を拒否すること、またはＵＥに関連付けられたすべてのベアラを第２のゲートウェイノードに再配置することのうちの少なくとも１つを実施することとのために構成され得る。
【００１１】
[0011]上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に示す。ただし、これらの態様は、様々な実施形態の原理が採用され得る様々な方法のほんのいくつかを示すものであり、説明する実施形態は、すべてのそのような態様およびそれらの均等物を含むものとする。
【図面の簡単な説明】
【００１２】
【図１】[0012]ＬＴＥ（登録商標）ネットワークまたは何らかの他のワイヤレスネットワークであり得る、ワイヤレス通信ネットワークを示すブロック図。
【図２】[0013]データベアラがコアネットワークにおいて終端する場合のベアラレベルスプリッティングの例示的な設計を示すブロック図。
【図３】[0014]図２に示されたネットワークアーキテクチャに基づく、ＵＥとＰＤＮゲートウェイとの間の通信のためのユーザプレーンの例示的なプロトコルスタックを示すブロック図。
【図４】[0015]データベアラがＲＡＮにおいて終端する場合のベアラレベルスプリッティングの例示的な設計を示すブロック図。
【図５】[0016]図４に示されたネットワークアーキテクチャに基づく、異なるｅＮＢを介したＵＥとＰＤＮゲートウェイとの間の通信のためのユーザプレーンの例示的なプロトコルスタックを示すブロック図。
【図６】[0017]データベアラがＲＡＮにおいて終端する場合のベアラレベルスプリッティングの例示的な設計を示すブロック図。
【図７】[0018]図６に示されたネットワークアーキテクチャに基づく、異なるｅＮＢを介したＵＥとＰＤＮゲートウェイ４８との間の通信のためのユーザプレーンの例示的なプロトコルスタックを示すブロック図。
【図８】[0019]コアネットワークにおける別個のデータ接続の場合のベアラレベルスプリッティングの例示的な設計のブロック図。
【図９】[0020]ＩＰアドレスがベアラごとに異なることを可能にする経路切替え要求を示す表。
【図１０】[0021]ベアラ再配置要求を拒否するためのコールフローを示すコールフロー図。
【図１１】[0022]ベアラを新しいゲートウェイノードに再配置するためのコールフローの設計を示すコールフロー図。
【図１２】[0023]デュアル接続性のための第１の選択されたアーキテクチャ（１Ａ）を示す概略図。
【図１３】[0024]デュアル接続性のための第１の選択されたアーキテクチャ（３Ｃ）を示す概略図。
【図１４】[0025]コアネットワークにおいて終端されるデータベアラについてのマスタｅＮＢによってデータベアラを２次ｅＮＢからテイクバック（take back）するためのコールフローの設計を示すコールフロー図。
【図１５】[0026]２次ｅＮＢにおいてデータベアラを追加するためのコールフローの設計を示すコールフロー図。
【図１６】[0027]本開示の態様を実装するために実行される例示的なブロックを示す機能ブロック図。
【図１７】本開示の態様を実装するために実行される例示的なブロックを示す機能ブロック図。
【図１８】本開示の態様を実装するために実行される例示的なブロックを示す機能ブロック図。
【図１９】本開示の態様を実装するために実行される例示的なブロックを示す機能ブロック図。
【図２０】本開示の態様を実装するために実行される例示的なブロックを示す機能ブロック図。
【図２１】本開示の態様を実装するために実行される例示的なブロックを示す機能ブロック図。
【図２２】本開示の態様を実装するために実行される例示的なブロックを示す機能ブロック図。
【図２３】[0028]図１に示されたＵＥおよびｅＮＢ／基地局の例示的な設計を示すブロック図。
【発明を実施するための形態】
【００１３】
[0029]ワイヤレス通信ネットワークにおけるキャリアアグリゲーションのための複数のキャリアを介した通信をサポートするための技法を本明細書で開示する。これらの技法は、ＣＤＭＡ、ＴＤＭＡ、ＦＤＭＡ、ＯＦＤＭＡ、ＳＣ−ＦＤＭＡおよび他のワイヤレスネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標）およびＷｉ−Ｆｉ  Ｄｉｒｅｃｔ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ：Universal Mobile Telecommunication System）の一部である。周波数分割複信（ＦＤＤ）と時分割複信（ＴＤＤ）の両方における３ＧＰＰ（登録商標）ロングタームエボリューション（ＬＴＥ）およびＬＴＥアドバンスト（ＬＴＥ−Ａ）は、ダウンリンク上ではＯＦＤＭＡを採用し、アップリンク上ではＳＣ−ＦＤＭＡを採用する、Ｅ−ＵＴＲＡを使用するＵＭＴＳの最近のリリースである。ＵＴＲＡ、Ｅ−ＵＴＲＡ、ＧＳＭ、ＵＭＴＳ、ＬＴＥおよびＬＴＥ−Ａは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００１４】
[0030]図１に、ＬＴＥネットワークまたは何らかの他のワイヤレスネットワークであり得る、ワイヤレス通信ネットワーク１００を示す。ワイヤレスネットワーク１００は、無線通信をサポートする無線アクセスネットワーク（ＲＡＮ）１２０と、データ通信および／または他のサービスをサポートするコアネットワーク（ＣＮ）１４０とを含み得る。ＲＡＮ１２０は発展型ユニバーサル地上波無線アクセスネットワーク（Ｅ−ＵＴＲＡＮ）と呼ばれることもある。
【００１５】
[0031]ＲＡＮ１２０は、ＵＥのための無線通信をサポートするいくつかの発展型ノードＢ（ｅＮＢ）を含み得る。簡単のために、図１には、２つのｅＮＢ１３０およびｅＮＢ１３２のみが示されている。ｅＮＢは、ＵＥと通信するエンティティであり得、ノードＢ、基地局、アクセスポイントなどと呼ばれることもある。各ｅＮＢは、特定の地理的エリアに通信カバレージを与え得、カバレージエリア内に位置するＵＥのための無線通信をサポートし得る。ネットワーク容量を改善するために、ｅＮＢの全体的なカバレージエリアは複数（たとえば、３つ）のより小さいエリアに区分され得る。各々のより小さいエリアは、それぞれのｅＮＢサブシステムによってサービスされ得る。３ＧＰＰでは、「セル」という用語は、ｅＮＢのカバレージエリアおよび／またはこのカバレージエリアをサービスするｅＮＢサブシステムを指すことがある。ＲＡＮ１２０はまた、簡単のために図１に示されていない他のネットワークエンティティを含み得る。
【００１６】
[0032]コアネットワーク１４０は、モビリティ管理エンティティ（ＭＭＥ）１４２と、ホーム加入者サーバ（ＨＳＳ）１４４と、サービングゲートウェイ（ＳＧＷ）１４６と、パケットデータネットワーク（ＰＤＮ）ゲートウェイ（ＰＧＷ）１４８とを含み得る。コアネットワーク１４０はまた、簡単のために図１に示されていない他のネットワークエンティティを含み得る。
【００１７】
[0033]ＭＭＥ１４２は、非アクセス層（ＮＡＳ：Non Access Stratum）のためのシグナリングおよびセキュリティの制御、ＵＥの認証およびモビリティ管理、ＵＥのためのゲートウェイの選択、ベアラ管理機能などの様々な機能を実施し得る。ＨＳＳ１４４は、ユーザについての加入関係情報（たとえば、ユーザプロファイル）およびロケーション情報を記憶し、ユーザの認証および許可を実施し、要求されたときユーザロケーションおよびルーティング情報に関する情報を与え得る。
【００１８】
[0034]サービングゲートウェイ１４６は、データルーティングおよびフォワーディング、モビリティマスタリングなど、ＵＥのためのインターネットプロトコル（ＩＰ）データ転送に関係する様々な機能を実施し得る。サービングゲートウェイ１４６はまた、ＲＡＮ１２０へのインターフェースを終端し得、ｅＮＢ間のハンドオーバのサポート、ＵＥのためのデータのバッファリング、ルーティングおよびフォワーディング、ネットワークトリガ型サービス要求プロシージャの開始、課金のためのアカウンティング機能などの様々な機能を実施し得る。
【００１９】
[0035]ＰＤＮゲートウェイ１４８は、ＵＥのためのデータ接続性の維持、ＩＰアドレス割振り、ＵＥのためのパケットフィルタリング、サービスレベルゲート制御およびレート強制、クライアントおよびサーバのための動的ホスト構成プロトコル（ＤＨＣＰ：dynamic host configuration protocol）機能、ゲートウェイＧＰＲＳサポートノード（ＧＧＳＮ：gateway GPRS support node）機能などの様々な機能を実施し得る。ＰＤＮゲートウェイ１４８はまた、インターネット、ネットワーク事業者のパケットデータネットワークなどであり得る、パケットデータネットワーク１９０へのＳＧｉインターフェースを終端し得る。ＳＧｉは、データサービスのプロビジョンのためのＰＤＮゲートウェイとパケットデータネットワークとの間の基準点である。
【００２０】
[0036]図１は、ＲＡＮ１２０およびコアネットワーク１４０中の様々なネットワークエンティティ間の例示的なインターフェースをも示している。ｅＮＢ１３０およびｅＮＢ１３２は、Ｘ２インターフェースを介して互いに通信し得る。ｅＮＢ１３０およびｅＮＢ１３２は、Ｓ１−ＭＭＥインターフェースを介してＭＭＥ１４２と通信し、Ｓ１−Ｕインターフェースを介してサービングゲートウェイ１４６と通信し得る。ＭＭＥ１４２は、Ｓ６ａインターフェースを介してＨＳＳ１４４と通信し得、Ｓ１１インターフェースを介してサービングゲートウェイ１４６と通信し得る。サービングゲートウェイ１４６は、Ｓ５インターフェースを介してＰＤＮゲートウェイ１４８と通信し得る。
【００２１】
[0037]ＲＡＮ１２０およびコアネットワーク１４０中の様々なネットワークエンティティならびにネットワークエンティティ間のインターフェースは、「Evolved Universal Terrestrial Radio Access (E-UTRA) and Evolved Universal Terrestrial Radio Access Network (E-UTRAN); Overall description」と題する３ＧＰＰ  ＴＳ  ３６．３００、および「General Packet Radio Service (GPRS) enhancements for Evolved Universal Terrestrial Radio Access Network (E-UTRAN) access」と題する３ＧＰＰ  ＴＳ  ２３．４０１に記載されている。これらの文書は３ＧＰＰから公的に入手可能である。
【００２２】
[0038]ＵＥ１１０は、無線通信のための所与の瞬間において１つまたは複数のｅＮＢと通信し得る。ＵＥ１１０は、固定または移動であり得、移動局、端末、アクセス端末、加入者ユニット、局などと呼ばれることもある。ＵＥ１１０は、セルラーフォン、スマートフォン、タブレット、ワイヤレス通信デバイス、携帯情報端末（ＰＤＡ）、ワイヤレスモデム、ハンドヘルドデバイス、ラップトップコンピュータ、コードレスフォン、ワイヤレスローカルループ（ＷＬＬ）局、ネットブック、スマートブックなどであり得る。
【００２３】
[0039]ワイヤレスネットワーク１００は、キャリアアグリゲーションまたはマルチキャリア動作と呼ばれることがある、複数のキャリア上での動作をサポートし得る。ＵＥ１１０は、キャリアアグリゲーションのために、ダウンリンクのための複数のキャリアとアップリンクのための１つまたは複数のキャリアとで構成され得る。１つまたは複数のｅＮＢは、１つまたは複数のキャリア上でデータおよび／または制御情報をＵＥ１１０に送信し得る。ＵＥ１１０は、１つまたは複数のキャリア上でデータおよび／または制御情報を１つまたは複数のｅＮＢに送信し得る。
【００２４】
[0040]ワイヤレスネットワーク１００は、ユーザプレーンおよび制御プレーンを介した通信をサポートし得る。ユーザプレーンは、上位レイヤアプリケーションのためのデータを搬送し、ユーザプレーンベアラを採用するための機構であり、一般に、ユーザデータグラムプロトコル（ＵＤＰ）、伝送制御プロトコル（ＴＣＰ）、およびインターネットプロトコル（ＩＰ）など、標準プロトコルを用いて実装される。制御プレーンは、データ（たとえば、シグナリング）を搬送するための機構であり、一般に、ネットワーク固有のプロトコル、インターフェース、ならびに非アクセス層（ＮＡＳ）メッセージおよび無線リソース制御（ＲＲＣ）メッセージなどのシグナリングメッセージを用いて実装される。たとえば、トラフィック／パケットデータは、ユーザプレーンを介してＵＥ１１０とワイヤレスネットワーク１００との間で送られ得る。ＵＥ１１０のための通信をサポートするための様々なプロシージャのためのシグナリングが、制御プレーンを介して送られ得る。
【００２５】
[0041]ＵＥ１１０は、キャリアアグリゲーションを用いたデータ通信のための複数のデータベアラで構成され得る。ベアラは、たとえば、容量、遅延、ビット誤り率など、定義された特性の情報送信経路を指すことがある。データベアラは、データを交換するためのベアラであり、ＵＥとＵＥのためのデータをルーティングするために指定されたネットワークエンティティ（たとえば、ＰＤＮゲートウェイ）とにおいて終端し得る。データベアラは、ＬＴＥにおける発展型パケットシステム（ＥＰＳ）ベアラなどと呼ばれることもある。データベアラは、ＵＥ１１０が指定されたネットワークエンティティ（たとえば、ＰＤＮゲートウェイ）に接続するときに確立され得、ＵＥ１１０に常時オンＩＰ接続性を与えるために接続の存続期間全体にわたって確立されたままであり得る。このデータベアラはデフォルトデータベアラと呼ばれることがある。１つまたは複数の追加のデータベアラが、同じネットワークエンティティ（たとえば、同じＰＤＮゲートウェイ）に対して確立され得、（１つまたは複数の）専用データベアラと呼ばれることがある。各追加のデータベアラは、（ｉ）データベアラを介して送られるべきパケットをフィルタ処理するために使用される、１つまたは複数のトラフィックフローテンプレート（ＴＦＴ）、（ｉｉ）ＵＥと指定されたネットワークエンティティとの間のデータ転送のためのサービス品質（ＱｏＳ）パラメータ、（ｉｉｉ）スケジューリングポリシー、キュー管理ポリシー、レートシェーピングポリシー、無線リンク制御（ＲＬＣ）構成などに関係するパケットフォワーディング処理、および／または（ｉｖ）他の特性などの様々な特性に関連付けられ得る。たとえば、ＵＥ１１０は、ボイスオーバーＩＰ（ＶｏＩＰ）呼のためのデータの転送のための１つのデータベアラ、インターネットダウンロードトラフィックのための別のデータベアラなどで構成され得る。要約すれば、デフォルトデータベアラは、各新しいデータ接続（たとえば、各新しいＰＤＮ接続）を用いて確立され得、そのコンテキストは、データ接続の存続期間全体にわたって確立されたままであり得る。デフォルトデータベアラは非保証型ビットレート（ＧＢＲ）ベアラであり得る。専用データベアラは、ＵＥにおけるアップリンクパケットフィルタに関連付けられ、指定されたネットワーク（たとえば、ＰＤＮゲートウェイ）におけるダウンリンクパケットフィルタに関連付けられ得、ここで、フィルタはいくつかのパケットのみに一致し得る。各データベアラは無線ベアラに対応し得る。デフォルトデータベアラは、一般に、ベストエフォートであり得、専用データベアラのうちのいずれのパケットフィルタにも一致しないＩＰアドレスのためのすべてのパケットを搬送し得る。専用データベアラは、一般に、（たとえば、パケットフィルタに基づいて）特定のタイプのトラフィックに関連付けられ得、あるＱｏＳに関連付けられ得る。
【００２６】
[0042]本開示の一態様では、複数のデータベアラがキャリアアグリゲーションのためにＵＥ１１０のために構成され得、複数のｅＮＢ間でスプリットされ得、これはベアラレベルスプリッティングと呼ばれることがある。ｅＮＢは、チャネル状態、負荷などの様々な基準に基づいて、ＵＥ１１０の複数のデータベアラをサービスするために選択され得る。一設計では、ＵＥ１１０の各データベアラをサービスするために特定のｅＮＢが選択され得るように、データベアラごとにＵＥ１１０のデータベアラをサービスするために、ｅＮＢが選択され得る。ＵＥ１１０のための各データパケットは、各データベアラに関連付けられたＴＦＴに基づいて適切なデータベアラを介して送られ得る。ベアラレベルスプリッティングは、様々な様式で、様々なネットワークアーキテクチャを用いてサポートされ得る。
【００２７】
[0043]図２に、データベアラがコアネットワーク１４０において終端する場合のベアラレベルスプリッティングの例示的な設計を示す。ＵＥ１１０は、キャリアアグリゲーションのために複数のｅＮＢ１３０およびｅＮＢ１３２と通信し得る。ｅＮＢ１３０はＵＥ１１０のためのマスタｅＮＢであり得、ｅＮＢ１３２はＵＥ１１０のための２次ｅＮＢであり得る。マスタｅＮＢは、ＵＥのための通信を制御するために指定されたｅＮＢであり得る。マスタｅＮＢは、サービングｅＮＢ、１次ｅＮＢ、主ｅＮＢ、アンカーｅＮＢ、または他の用語で呼ばれることもある。２次ｅＮＢは、ＵＥとデータを交換するために、たとえば、ＵＥにデータを送信するためおよび／またはそれからデータを受信するために選択されたｅＮＢであり得る。２次ｅＮＢは、ブースタｅＮＢ、補足ｅＮＢ、または他の用語で呼ばれることもある。
【００２８】
[0044]ＵＥ１１０は、キャリアアグリゲーションのために複数のデータベアラで構成され得る。複数のデータベアラのうちの少なくとも１つがマスタｅＮＢ１３０によってサービスされ得、複数のデータベアラのうちの残りのデータベアラが２次ｅＮＢ１３２によってサービスされ得る。ＵＥ１１０の各データベアラは、したがって、ＵＥ１１０のための１つのｅＮＢによってサービスされ得る。ＭＭＥ１４２は、たとえば、データベアラについてのトンネルエンドポイントが、現在、単一のｅＮＢの代わりに異なるｅＮＢにあることを除いて、ＬＴＥリリース８において定義されている方法を使用して、ＵＥ１１０のデータベアラを管理し得、ＵＥ１１０のどのデータベアラがどのｅＮＢによってサービスされるかを決定し得る。ＭＭＥ１４２は、ＵＥ１１０のデータベアラをサービスするｅＮＢを変更するために、影響を受けるネットワークエンティティ（たとえば、サービングゲートウェイ１４６）にベアラ変更要求（Modify Bearer Request）メッセージを送り得る。
【００２９】
[0045]ダウンリンク上でのデータ送信のために、ＰＤＮゲートウェイ１４８は、ＵＥ１１０に向けられたデータを受信し得、データをＵＥ１１０の異なるデータベアラに分離し得る。ＰＤＮゲートウェイ１４８は、サービングゲートウェイ１４６にＵＥ１１０のためのデータをフォワーディングし得、サービングゲートウェイ１４６は、ＭＭＥ１４２からのベアラ変更要求メッセージに基づいて適切なｅＮＢにデータをフォワーディングし得る。
【００３０】
[0046]アップリンク上でのデータ送信のために、各ｅＮＢは、ＵＥ１１０からデータを受信し得、適切なデータベアラを介してサービングゲートウェイ１４６にデータをフォワーディングし得る。サービングゲートウェイ１４６は、ＰＤＮゲートウェイ１４８にＵＥ１１０のすべてのデータベアラのためのデータをフォワーディングし得る。
【００３１】
[0047]データベアラがコアネットワーク１４０において終端するベアラレベルスプリッティングの場合、サービングゲートウェイ１４６またはＰＤＮゲートウェイ１４８への変更は必要とされないことがある。ＭＭＥ１４２は、ＵＥ１１０のデータベアラの一部分のみに影響を及ぼし得る新しいタイプの経路切替え要求（たとえば、ベアラ切替え要求）のために変更され得る。
【００３２】
[0048]図３に、図２に示されたネットワークアーキテクチャに基づく、ＵＥ１１０とＰＤＮゲートウェイ１４８との間の通信のためのユーザプレーンの例示的なプロトコルスタックを示す。ＵＥ１１０は、ＩＰを介してＰＤＮゲートウェイ１４８とデータを交換（たとえば、送信および／または受信）し得る。ＵＥ１１０において、ＩＰは、（ｉ）レイヤ２（Ｌ２）におけるパケットデータコンバージェンスプロトコル（ＰＤＣＰ）、無線リンク制御（ＲＬＣ）、および媒体アクセス制御（ＭＡＣ）ならびに（ｉｉ）物理レイヤ（ＰＨＹ）／レイヤ１（Ｌ１）におけるＥ−ＵＴＲＡエアリンク上で動作し得る。２次ｅＮＢ１３２は、ユーザプレーン用ＧＰＲＳトンネリングプロトコル（ＧＴＰ−Ｕ：GPRS Tunneling Protocol for User Plane）、ＵＤＰ、ＩＰ、Ｌ２およびＬ１を介してサービングゲートウェイ１４６と通信し得る。
【００３３】
[0049]図３における２次ｅＮＢ１３２を介したＵＥ１１０のためのユーザプレーンは、ＬＴＥリリース８における従来のｅＮＢを介したＵＥ１１０のためのユーザプレーンと同様であり得る。マスタｅＮＢ１３０を介したＵＥ１１０のためのユーザプレーンは、２次ｅＮＢ１３２を介したＵＥ１１０のためのユーザプレーンと同様であり得る。
【００３４】
[0050]図４に、データベアラがＲＡＮ１２０において終端する場合のベアラレベルスプリッティングの例示的な設計を示す。ＵＥ１１０は、キャリアアグリゲーションのために複数のｅＮＢ１３０およびｅＮＢ１３２と通信し得、キャリアアグリゲーションのために複数のデータベアラで構成され得る。複数のデータベアラのうちの少なくとも１つがマスタｅＮＢ１３０によってサービスされ得、複数のデータベアラのうちの残りのデータベアラが２次ｅＮＢ１３２によってサービスされ得る。マスタｅＮＢ１３０は、２次ｅＮＢ１３２を介して送られたＵＥ１１０のデータをアグリゲートするデータプレーンのためのマスタとして働き得る。一設計では、ＰＤＣＰは２次ｅＮＢ１３２において終端し得る。マスタｅＮＢ１３０とサービングゲートウェイ１４６との間の単一のＳ１インターフェースが、ＵＥ１１０のすべてのデータベアラのために使用され得る。ｅＮＢへのデータベアラのマッピングはコアネットワーク１４０から隠され得、コアネットワーク１４０は、ＵＥ１１０のすべてのデータベアラがｅＮＢ１３０のみによってサービスされる場合と同様に動作し得る。データベアラがＲＡＮにおいて終端するベアラレベルスプリッティングの場合、２次ｅＮＢとの間でのモビリティがコアネットワークから隠され得るので、コアネットワーク中のネットワークエンティティについての変更は必要とされないことがある。
【００３５】
[0051]ダウンリンク上でのデータ送信のために、ＰＤＮゲートウェイ１４８は、ＵＥ１１０に向けられたデータを受信し得、データをＵＥ１１０の異なるデータベアラに分離し得る。ＰＤＮゲートウェイ１４８はサービングゲートウェイ１４６にＵＥ１１０のためのデータをフォワーディングし得、サービングゲートウェイ１４６はマスタｅＮＢ１３０にデータをフォワーディングし得る。マスタｅＮＢ１３０は、マスタｅＮＢ１３０によってサービスされるＵＥ１１０のデータベアラのためのデータと、２次ｅＮＢ１３２によってサービスされるＵＥ１１０のデータベアラのためのデータとを識別し、分離し得る。マスタｅＮＢ１３０は、２次ｅＮＢに２次ｅＮＢ１３２によってサービスされるデータベアラのためのデータをＸ２−Ｕインターフェースを介してフォワーディングし得る。ダウンリンク上でのデータ送信のために、マスタｅＮＢ１３０によって実施される動作は、２次ｅＮＢ１３２へのＵＥ１１０のハンドオーバのためにｅＮＢによって実施される動作と同様であり得る。しかしながら、ベアラレベルスプリッティングの場合、マスタｅＮＢ１３０は、２次ｅＮＢ１３２におけるＵＥ１１０の接続の持続時間の間、２次ｅＮＢ１３２にＵＥ１１０のためのデータをフォワーディングし続け得る。
【００３６】
[0052]アップリンク上でのデータ送信のために、マスタｅＮＢ１３０は、マスタｅＮＢ１３０によってサービスされるデータベアラを介してＵＥ１１０によって送られたデータを受信し得る。２次ｅＮＢ１３２は、２次ｅＮＢ１３２によってサービスされるデータベアラを介してＵＥ１１０によって送られたデータを受信し得、Ｘ２−Ｕインターフェースを介してマスタｅＮＢ１３０にデータをフォワーディングし得る。
【００３７】
[0053]図５に、図４に示されたネットワークアーキテクチャに基づく、ｅＮＢ１３０およびｅＮＢ１３２を介したＵＥ１１０とＰＤＮゲートウェイ１４８との間の通信のためのユーザプレーンの例示的なプロトコルスタックを示す。ＵＥ１１０は、ＩＰを介してＰＤＮゲートウェイ１４８とデータを交換し得る。ＵＥ１１０において、ＩＰは、ＰＤＣＰ、ＲＬＣ、ＭＡＣ、およびＰＨＹ上で動作し得る。２次ｅＮＢ１３２は、ＧＴＰ−Ｕ、ＵＤＰ、ＩＰ、Ｌ２およびＬ１を介してマスタｅＮＢ１３０と通信し得る。同様に、マスタｅＮＢ１３０は、ＧＴＰ−Ｕ、ＵＤＰ、ＩＰ、Ｌ２およびＬ１を介してサービングゲートウェイ１４６と通信し得る。
【００３８】
[0054]マスタｅＮＢ１３０を介したＵＥ１１０のためのユーザプレーンは、ＬＴＥリリース８における従来のｅＮＢを介したＵＥ１１０のためのユーザプレーンと同様であり得る、図３における２次ｅＮＢ１３２を介したＵＥ１１０のためのユーザプレーンと同様であり得る。マスタｅＮＢ１３０を介したＵＥ１１０のためのユーザプレーンは、２次ｅＮＢ１３２を介したＵＥ１１０のためのユーザプレーンと同じであり得る。ダウンリンク上では、２次ｅＮＢ１３２を介したＵＥ１１０のためのユーザプレーンは、２次ｅＮＢ１３２にフォワーディングされるマスタｅＮＢ１３０に送られたデータパケットのための、ＬＴＥリリース８における従来のｅＮＢを介したＵＥ１１０のためのユーザプレーンと同様であり得る。
【００３９】
[0055]図６に、データベアラがＲＡＮ１２０において終端する場合のベアラレベルスプリッティングの例示的な設計を示す。図６における設計は、ＰＤＣＰが（図４中の２次ｅＮＢ１３２において終端される代わりに）図６中のマスタｅＮＢ１３０において終端されることを除いて、図４における設計と同様である。２次ｅＮＢ１３２はＵＥ１１０のためのＰＤＣＰを終端せず、ＵＥ１１０にとって完全なｅＮＢではないので、２次ｅＮＢ１３２は、ＵＥ１１０に関してセルと見なされ得る。
【００４０】
[0056]ダウンリンク上でのデータ送信のために、ＰＤＮゲートウェイ１４８は、ＵＥ１１０に向けられたデータを受信し得、データをＵＥ１１０の異なるデータベアラに分離し得る。ＰＤＮゲートウェイ１４８はサービングゲートウェイ１４６にＵＥ１１０のためのデータをフォワーディングし得、サービングゲートウェイ１４６はマスタｅＮＢ１３０にデータをフォワーディングし得る。マスタｅＮＢ１３０は、マスタｅＮＢ１３０によってサービスされるデータベアラのためのデータと、２次ｅＮＢ１３２によってサービスされるオフロードされたデータベアラのためのデータとを識別し、分離し得る。マスタｅＮＢ１３０は、ＰＤＣＰのためのオフロードされたデータベアラのためのデータを処理し得、処理されたデータをＸ３−Ｕインターフェースを介して２次ｅＮＢ１３２に送り得る。アップリンク上でのデータ送信のために、２次ｅＮＢ１３２は、オフロードされたデータベアラ上でＵＥ１１０によって送られたデータを受信し得、データをＸ３−Ｕインターフェースを介してマスタｅＮＢ１３０にフォワーディングし得る。Ｘ３−Ｕは、マスタｅＮＢ１３０と２次ｅＮＢ１３２との間の新しいデータプレーンインターフェースであり得、ＧＴＰを介してアップリンクおよびダウンリンク上でＰＤＣＰプロトコルデータユニット（ＰＤＵ）を搬送し得る。
【００４１】
[0057]データベアラがＲＡＮ１２０において終端し、ＰＤＣＰがマスタｅＮＢ１３０において終端するベアラレベルスプリッティングの場合、ＵＥ１１０をマスタｅＮＢ１３０に接続するためのＵｕインターフェースのためのセキュリティはマスタｅＮＢ１３０において終端され得る。無線リソース制御（ＲＲＣ）はマスタｅＮＢ１３０において終端され得る。別のｅＮＢへのＵＥ１１０のハンドオーバの場合、ＰＤＣＰについてのバッファされたデータがマスタｅＮＢ１３０において利用可能であり得る。
【００４２】
[0058]図７に、図６に示されたネットワークアーキテクチャに基づく、ｅＮＢ１３０およびｅＮＢ１３２を介したＵＥ１１０とＰＤＮゲートウェイ１４８との間の通信のためのユーザプレーンの例示的なプロトコルスタックを示す。ＵＥ１１０は、ＩＰを介してＰＤＮゲートウェイ１４８とデータを交換し得る。ＵＥ１１０において、ＩＰは、ＰＤＣＰ、ＲＬＣ、ＭＡＣ、およびＰＨＹ上で動作し得る。ＰＤＣＰはマスタｅＮＢ１３０において終端し得るが、ＲＬＣ、ＭＡＣ、およびＰＨＹは２次ｅＮＢ１３２において終端し得る。２次ｅＮＢ１３２は、ＧＴＰ−Ｕ、ＩＰ、Ｌ２およびＬ１を介してマスタｅＮＢ１３０と通信し得る。マスタｅＮＢ１３０は、ＧＴＰ−Ｕ、ＵＤＰ、ＩＰ、Ｌ２およびＬ１を介してサービングゲートウェイ１４６と通信し得る。マスタｅＮＢ１３０を介したＵＥ１１０のためのユーザプレーンは、ＬＴＥリリース８における従来のｅＮＢを介したＵＥ１１０のためのユーザプレーンと同様であり得る、図３における２次ｅＮＢ１３２を介したＵＥ１１０のためのユーザプレーンと同じであり得る。
【００４３】
[0059]図８に、コアネットワーク１４０における別個のデータ接続の場合のベアラレベルスプリッティングの例示的な設計を示す。データ接続は、データを交換する２つのエンティティ間のデータ経路である。データ接続はＰＤＮ接続などと呼ばれることもある。データ接続は、データ接続を終端するエンティティにデータを送るために使用されるＩＰアドレスなどの様々な特性に関連付けられ得る。ＩＰアドレスは、アクセスのタイプのためにＵＥによって要求されたパケットデータネットワーク（ＰＤＮ）に対応し得る。たとえば、ＵＥは、インターネット、音声、オペレータサービス、ローカルブレークアウトなどのアクセスのタイプに対応するアクセスポイント名（ＡＰＮ）を要求し得る。その名に基づいて、ＭＭＥは、ＵＥによって要求されたアクセスのタイプを与えることができるＰＤＮを選択し得、次いで、ＴＳ２３．４０１において定義されている一連のプロシージャを通して、ＵＥは、そのＰＤＮに対応するＩＰアドレスを割り当てられ得る。ＰＤＮは、次いで、１つまたは複数の関連付けられたデータベアラを有し得、したがって、ＵＥは、そのＰＤＮに関係するトラフィックのためのＱｏＳを実施することができる。
【００４４】
[0060]別個のデータ接続の場合のベアラレベルスプリッティングが、マルチパスＴＣＰをサポートするために使用され得る。ＴＣＰは、一般に、データの順序配信を仮定する。ＵＥが（たとえば、ＷＬＡＮインターフェースおよびセルラーのための）複数のＩＰアドレスを使用してパケットを送る場合、（ａ）複数のインターフェースを有するＴＰＣクライアントをサポートすることと、（ｂ）各インターフェース上で別個にパケットロスに対処することとを行うための機構が必要とされる。マルチパスＴＣＰは、ＴＣＰクライアントがＴＣＰサーバに関する複数のＩＰアドレスを有することを可能にする、ＩＥＴＦによって定義されたＴＣＰの方法である。
【００４５】
[0061]別個のデータ接続の場合のベアラレベルスプリッティングの一設計では、各ｅＮＢのためのＵＥ１１０のデータベアラがＰＤＮゲートウェイ１４８における別個のデータ接続に対応し得る。たとえば、マスタｅＮＢ１３０によってサービスされるＵＥ１１０のデータベアラは、ＵＥ１１０に割り当てられた第１のＩＰアドレスに関連付けられた第１のデータ接続に対応し得、２次ｅＮＢ１３２によってサービスされるＵＥ１１０のデータベアラは、ＵＥ１１０に割り当てられた第２のＩＰアドレスに関連付けられた第２のデータ接続に対応し得る。対照的に、図２における設計の場合、ＵＥ１１０のすべてのデータベアラがＰＤＮゲートウェイ１４８における単一のデータ接続に対応し得る。
【００４６】
[0062]一設計では、ＵＥ１１０のすべてのデータ接続のために（制御プレーンに応じて）共通サービングゲートウェイが使用され得る。この設計は、データベアラがアクティブ化され、非アクティブ化され、および／または変更される際に各データ接続のベアラ管理を簡略化し得る。別の設計では、ＵＥ１１０の異なるデータ接続のために異なるサービングゲートウェイが使用され得る。
【００４７】
[0063]一設計では、たとえば、図８に示されているように、単一のＰＤＮゲートウェイがＵＥ１１０のすべてのデータ接続を終端し得る。別の設計では、（ｉ）ＵＥ１１０は、各ｅＮＢにおいて別個のＩＰアドレスを割り当てられ得、（ｉｉ）ＵＥ１１０のためのデータ接続はデータプレーン中で独立であり得るので、異なるＰＤＮゲートウェイがＵＥ１１０の異なるデータ接続を終端し得る。
【００４８】
[0064]表１に、図２、図４および図６に示された３つの例示的な設計についてのベアラレベルスプリッティングの様々な特性を要約する。
【００４９】
【表１】
2019195202.tif 000003
【００５０】
[0065]データベアラはコアネットワークまたはＲＡＮにおいて終端され得、この選定は、ルーティング効率、コアネットワークへの影響などの様々な基準に基づいて選択され得る。また、ルーティング効率は、マスタｅＮＢおよび２次ｅＮＢが実際の展開においてどのように接続されるかに依存し得る。ＰＤＣＰは、マスタｅＮＢまたは２次ｅＮＢにおいて終端され得、この選定は、セキュリティおよびＲＲＣがマスタｅＮＢにおいて終端されるのか２次ｅＮＢにおいて終端されるのかなどの様々なファクタに基づいて選択され得る。
【００５１】
[0066]ＵＥ１１０は、たとえば、図１、図２、図４、図６および図８に示されているように、キャリアアグリゲーションのために複数のｅＮＢと通信し得る。ＵＥ１１０から見ると、ＵＥ１１０のデータベアラをサービスする各ｅＮＢはセルと見なされ得る。１つのセルがＵＥ１１０のための１次セル（Ｐｃｅｌｌ）として指定され得、各残りのセルはＵＥ１１０のための２次セル（Ｓｃｅｌｌ）と見なされ得る。ＬＴＥリリース１０は、同じｅＮＢにおける１つまたは複数のセルからのキャリアアグリゲーションをサポートし、キャリアアグリゲーションのためのＵＥ１１０をサービスしているすべてのセル間の協調は、セルが同じｅＮＢにおいてコロケートされていることにより可能であり得る。
【００５２】
[0067]複数のデータベアラがキャリアアグリゲーションのためにＵＥ１１０のために構成され得、ベアラレベルアグリゲーションと呼ばれることがある。ベアラレベルアグリゲーションは、ＬＴＥリリース１０において定義されている同じｅＮＢにおけるセルのキャリアアグリゲーションと組み合わせられ得る。特に、ＵＥ１１０は、（ｉ）同じｅＮＢにおけるセルの第１のサブセットと（ｉｉ）異なるｅＮＢにおけるセルの第１のサブセットとコロケートされない（および場合によっては異なる無線アクセス技術を利用する）セルの第２のサブセットとを含み得る、キャリアアグリゲーションのための複数のセルによってサービスされ得る。セルの第１のサブセットは、ＬＴＥリリース１０において定義されているキャリアアグリゲーション規則に準拠し得る。ベアラレベルアグリゲーションはセルの第２のサブセットに適用され得る。ＵＥ１１０をサービスしている複数のセルの機能は、これらのセルが属するｅＮＢ間のレイテンシにより下位のレイヤにおいて独立であり得る。
【００５３】
[0068]ＬＴＥリリース１０におけるキャリアアグリゲーションのいくつかの態様は、キャリアアグリゲーションのために独立したセル動作を可能にするように更新され得る。アップリンク上での制御情報の送信のために、ＵＥ１１０からのハイブリッド自動再送信（ＨＡＲＱ：hybrid automatic retransmission）フィードバックおよび周期チャネル状態情報（ＣＳＩ：channel state information）フィードバックが単一のセル（たとえば、１次セル）に送信され得る。ベアラレベルアグリゲーションは、各セルがシングルキャリア動作の場合と同様の様式で動作するように、各セルへのアップリンク上での制御情報の送信をサポートし得る。ＵＥ１１０は、アップリンク上での制御情報の送信のために複数の物理アップリンク制御チャネル（ＰＵＣＣＨ：Physical Uplink Control Channel）、たとえば、セルごとに１つのＰＵＣＣＨを割り当てられ得る。ＵＥ１１０は、たとえば、ＬＴＥリリース１０において定義されているように、１次セル上のみでランダムアクセスを実施し得る。代替的に、ＵＥ１１０は１次セルおよび２次セル上でランダムアクセスを実施し得る。ＵＥ１１０は、良好な性能が取得され得るように、複数のセルによる間欠送信（ＤＴＸ）のために構成され得る。たとえば、ＬＴＥリリース１０において定義されているように、単一のＭＡＣ  ＰＤＵが複数のセルをアクティブ化／非アクティブ化し得る。複数のセルが単一のＭＡＣ  ＰＤＵによってアクティブ化／非アクティブ化されることを可能にするために、セル間の何らかの協調が確立され得る。ＵＥ１１０をサービスしているセルごとに別個のＲＬＣが使用され得、これはＬＴＥリリース１０におけるすべてのセルのための単一のＲＬＣとは異なる。ＵＥ１１０をサービスしているセルごとに別個のＲＲＣが使用され得、これはＬＴＥリリース１０におけるすべてのセルのための単一のＲＲＣとは異なる。
【００５４】
[0069]デュアル接続性：３ＧＰＰにおいて導入された、本明細書で使用する「デュアル接続性」動作の概念は、ＵＥが異なるベアラを介したマスタｅＮＢ（ＭｅＮＢ）と２次ｅＮＢ（ＳｅＮＢ）とへの同時接続を維持する、動作状況を指す。デュアル接続性は、それぞれ図１２および図１３に関して説明するように、少なくとも２つのアーキテクチャ「１Ａ」およびアーキテクチャ「３Ｃ」によって定義される。
【００５５】
[0070]本開示によって対処されるデュアル接続性の課題は、どのＳｅＮＢがデュアル接続性に対して可能にされるかまたは許可されるかをどのように決定すべきかを含む。ＳｅＮＢがデュアル接続性に対して許可されるかどうかを決定することは、ＭＭＥまたはＭｅＮＢのいずれかにおいて行われ得る。
【００５６】
[0071]さらに、デュアル接続性がアーキテクチャ１Ａにおいて可能にされるとき、ベアラは２つの別個のｅＮＢにルーティングされる。いくつかのシナリオでは、デュアル接続性を可能にするために、たとえば、ＳｅＮＢが現在のサービングゲートウェイ（ＳＧＷ）によってまたは構成に基づいてルーティング可能でない場合、ＭＭＥはＳＧＷ再配置を実施する必要がある。この場合、ＳｅＮＢのためのベアラおよびＭｅＮＢ上の残りのベアラも移動される必要がある。本開示はまた、ＳＧＷ再配置が必要とされるとき、このプロシージャをどのように実施すべきか、またはデュアル接続性をどのように拒否すべきかに関するオプションを開示する。
【００５７】
[0072]いくつかの実施形態では、ＭｅＮＢが、ＳｅＮＢにおけるデュアル接続性を確立すべきかどうかを決定する。この手法、すなわち、ＭｅＮＢによる決定は、それぞれ図１２および図１３に関して説明するように、アーキテクチャ１Ａとアーキテクチャ３Ｃの両方に適用され得る。図１４〜図１５に関して示されるように、代替形態１Ａおよび代替形態３Ｃの場合、ＳｅＮＢとＳｅＮＢにルーティングされるすべてのトラフィックとの追加、変更およびリリースはＸ２プロシージャを介して行われ得る。たとえば、アーキテクチャ３Ｃの場合、ＭＭＥが関与しないので、デュアル接続性をどこで可能にすべきかの決定はＭｅＮＢのみにあり得る。したがって、代替形態３Ｃデュアル接続性を可能にするために必要とされるプロシージャはコアネットワーク（ＣＮ）に対して透過的であるので、ＭｅＮＢは、ＵＥのためのデュアル接続性のための適格なＳｅＮＢのセットを管理する必要がある。
【００５８】
[0073]すべてのＵＥについてまたはＵＥごとに、どれがデュアル接続性のために使用され得る適格なＳｅＮＢであるかを管理するために、以下のオプションが使用され得る。
【００５９】
[0074]すべてのＵＥの場合：（ａ）ＳｅＮＢ識別子：この場合、ＳｅＮＢがそれとともに使用され得るＭｅＮＢは、ＳｅＮＢ識別子、たとえば、トラッキングエリア識別子（ＩＤ）、ｅＮＢ  ＩＤ、物理レイヤセル識別情報（ＰＣＩ）、セルＩＤに基づいて構成され得る。（ｂ）ＭｅＮＢ構成：デュアル接続性を可能にするためにＸ２が必要とされるので、ＳｅＮＢごとに、デュアル接続性プロシージャがそのＳｅＮＢに対して可能にされるかどうかに関する（たとえば、３ＧＰＰ  ＴＳ  ３６．３００の図２２．３．２ａ−１に示されている）ネイバー関係テーブルがＯＡＭを介して構成され得る。（ｃ）ＳｅＮＢ能力：ＭｅＮＢは、デュアル接続性がＳｅＮＢによってサポートされるかどうかを決定するために、ＳｅＮＢと追加の能力を交換し得る。
【００６０】
[0075]ＵＥごとの場合：ＵＥコンテキストの一部として、ＭＭＥは、たとえば、新しいＩＥを使用して、またはＳＰＩＤを使用して、ＵＥがデュアル接続性のために適格であるかどうかを示し得る。指示はＵＥ能力の関数であり得る。
【００６１】
[0076]他の実施形態では、コアネットワークエンティティ（たとえば、ＭＭＥ）が、ＳｅＮＢにおけるデュアル接続性を確立すべきかどうかを決定し得る。ＭＭＥが、ＳｅＮＢにおけるデュアル接続性を確立すべきかどうかを決定することは、図１２に関して説明するようにアーキテクチャ１Ａに適用される。図１４〜図１５に関して示されるように、代替形態１Ａの場合、ＳｅＮＢとＳｅＮＢにルーティングされるすべてのトラフィックとの追加、変更および解放はＸ２プロシージャを介して行われ、Ｓ１プロシージャをも含む。したがって、ＭＭＥは、デュアル接続性がＵＥのためのＳｅＮＢにおいて確立され得るか否かを決定するために使用され得る。
【００６２】
[0077]図１４〜図１５に示されているように、代替形態１Ａの場合、ＳｅＮＢの追加および変更は、ＵＥのＥＰＳベアラに関連付けられた（１つまたは複数の）Ｓ１−ＵトンネルがＳｅＮＢにおよびそれから移動されることを必要とする。したがって、代替形態１Ａデュアル接続性を可能にするために必要とされるプロシージャは、Ｓ１−Ｕトンネルエンドポイントの変更と、これをサポートするための対応するＳ１−ＭＭＥプロシージャとを必要とすることになる。
【００６３】
[0078]現在、Ｓ１−Ｕトンネルの変更は、２つのプロシージャ、（ａ）ｅＮＢがＭＭＥとの新しいトンネルエンドポイントを更新するためのプロシージャと、（ｂ）ＭＭＥがＳＧＷにおいて新しいトンネルエンドポイントを更新するためのプロシージャとを備える。次にこれらについて説明する。
【００６４】
[0079]Ｓ１−Ｕトンネルエンドポイントを移動することを伴う、ｅＮＢが新しいトンネルエンドポイントをＭＭＥに通知するためのプロシージャの一例は、３ＧＰＰ  ＴＳ  ２３．４０１セクション５．５．１．１に見つかり得る。この例では、Ｘ２ハンドオーバの後にソースからターゲットＳｅＮＢにベアラを移動するために、ターゲットＳｅＮＢによって経路切替え要求が送られる。図９に、３ＧＰＰ  ＴＳ  ３６．４１３、セクション９．１．５．８に記載されているように、経路切替え要求が、ＩＰアドレスがベアラごとに異なることを可能にすることを示すデータ表９００を示す。図１４に示されているように、経路切替え要求に類似するプロシージャが、デュアル接続性を可能にするための新しいトンネルエンドポイントをＭＭＥに通知するためにＭｅＮＢによって使用され得る。類似するプロシージャは、図１４のステップ１１において「Ｅ−ＲＡＢ変更指示」と標示されている。
【００６５】
[0080]他の実施形態では、ＭＭＥまたは同様のネットワークエンティティがＳＧＷにおいて新しいトンネルエンドポイントを更新するためのプロシージャがある。ＭＭＥは、現在、３ＧＰＰ  ＴＳ  ２９．２７４において定義されているようにベアラ変更要求プロシージャを使用して、ＳＧＷにおいてＳ１−Ｕトンネルエンドポイントを移動する。ベアラ変更要求メッセージは「ベアラごと」であり、したがって、ＭＭＥは、必要に応じてＳｅＮＢにおよびそれから個々のベアラを移動することができる。
【００６６】
[0081]したがって、ＳＧＷまたはＳ１１インターフェースへの変更を必要とすることなしにデュアル接続性をサポートすることが可能であるべきである。しかしながら、いくつかの追加のファクタが考慮されるべきである。たとえば、代替形態１Ａのための追加の考慮事項は、デュアル接続性が、Ｘ２のためのＳＧＷ再配置に類似するＳＧＷ再配置をトリガすることができるかどうかを含み得る。いくつかのベアラがＭｅＮＢ上に残っていることがあるので、そのような再配置は、サポートされていないＵＥのための２つのＳＧＷ、またはすべてのベアラを新しいＳＧＷに移動することのいずれかを必要とし得る。
【００６７】
[0082]したがって、ＳＧＷ再配置の場合、ＭＭＥは、以下の２つのオプションのうちの１つに従って動作し得る。第１に、代替形態１ＡプロシージャがＳＧＷ再配置をトリガした場合、ＭＭＥは、図１０においてステップ１１および１２に示されているようにＭｅＮＢからの要求を拒否する。第２に、代替形態１ＡプロシージャがＳＧＷ再配置をトリガした場合、ＭＭＥは、図１１に示されているように、ＭｅＮＢ上に残っているベアラを含むすべてのベアラをターゲットＳＧＷに移動する。
【００６８】
[0083]図１０およびコールフロー１０００を参照すると、１つのオプションによれば、ＭＭＥはＭｅＮＢからのＥ−ＲＡＢ変更指示を拒否する。たとえば、最初に、ステップ１ａまたは１ｂにおいて、ＳｅＮＢリソースを追加または変更するためにＭｅＮＢまたはＳｅＮＢによって無線リソース管理（ＲＲＭ：Radio Resources Management）レイヤ決定が行われる。ＭｅＮＢ主導型変更の場合、ステップ２において、ＭｅＮＢは、ＳｅＮＢに変更要求を送り、ステップ３においてＳｅＮＢによるＲＲＭ決定をトリガする。変更要求が拒否されない場合、ＳｅＮＢは、ステップ４において応答し、ステップ５において、ＭｅＮＢからＵＥへのＲＲＣ接続再構成（RRC Connection Reconfiguration）メッセージをトリガする。その後、ＭｅＮＢは、ステップ６および７において、ＳＮＳステータス転送（SNS Status Transfer）メッセージおよびデータフォワーディング（Data Forwarding）メッセージをＳｅＮＢに送る。ステップ８において、ＭｅＮＢはＵＥからＲＲＣ接続再構成完了（RRC Connection Reconfiguration Complete）メッセージを受信し、その後、ＵＥおよびＳｅＮＢは、ステップ９においてランダムアクセスプロシージャを介して通信し得る。リンクが確認されると、ＳｅＮＢは、ステップ１０において、ＭｅＮＢに「追加／変更完了（Addition/Modification Complete）」メッセージを送り、ステップ１１において、Ｅ−ＲＡＢ変更指示を送るようにＭｅＮＢをトリガする。
【００６９】
[0084]ステップ１２において、ＭＭＥは、デュアル接続性プロシージャを拒否し、失敗の理由として、ＳＧＷ再配置が必要とされるという理由コードを含めて、デュアル接続性プロシージャが失敗したことを示す。拒否に応答して、ＭｅＮＢは、ステップ１３〜１４に示されているように、ＳｅＮＢにおけるデュアル接続性をもはや使用しないようにＵＥを再構成する。代替的に、ＭｅＮＢは、図１５に示されているようにＳｅＮＢ解放プロシージャを再利用し得る。ＭＭＥが、デュアル接続性を拒否し、本明細書において上記で説明したのと同じ、ＭｅＮＢがデュアル接続性を拒否する理由を含めて、Ｅ−ＲＡＢ変更指示失敗メッセージを送る、他の理由が存在し得ることを諒解されたい。
【００７０】
[0085]図１１およびコールフロー１１００を参照すると、ＳＧＷ再配置を含むＳｅＮＢ追加／変更の一例が与えられている。ステップ１〜１０は上記のコールフロー１０００と同じであり得る。図１１を参照すると、ステップ１１におけるＥ−ＲＡＢ変更指示に応答して、ＭＭＥは、ＳｅＮＢにすべてのベアラが移動されているのか、ベアラのサブセットが移動されているのかを決定する。ステップ１２〜１３において、ＭＭＥは、失敗の理由として、すべてのベアラが移動されているのでない（およびＳＧＷ再配置が必要とされる）という理由コードを含めて、デュアル接続性プロシージャが失敗したことを示す。この場合、ＭｅＮＢは、ステップ１５において、ＭｅＮＢとＳｅＮＢとによってサービスされているすべてのベアラを備える新しいＥ−ＲＡＢ変更指示を送ることができる。
【００７１】
[0086]たとえば図９の表９００に示されているように、ＳｅＮＢによってサービスされるべき各Ｅ−ＲＡＢについて、ＭｅＮＢはＳｅＮＢトランスポートレイヤアドレスを含むが、ＭｅＮＢによってサービスされるべき各Ｅ−ＲＡＢについて、ＭｅＮＢはＭｅＮＢトランスポートレイヤアドレスを含む。ＳＧＷ再配置はＵＥとＳｅＮＢの両方に対して透過的である。表９００を参照されたい。
【００７２】
[0087]代替実施形態では、ＭＭＥは、１２および１３をスキップし、既存のベアラのＥ−ＲＡＢ  ＩＤと、ＧＴＰトンネルエンドポイントＩＤ（ＴＥＩＤ）と、トランスポートレイヤアドレスとをＭｅＮＢに再サブミットすることによって、すべてのベアラをターゲットＳＧＷに移動し得る。ステップ１４において、ＭＭＥはベアラをターゲットＳＧＷに再配置する。ターゲットＳＧＷはまた、ＰＧＷへのトンネルを更新することになる。
【００７３】
[0088]背景として、アーキテクチャ「１Ａ」およびアーキテクチャ「３Ｃ」のいくつかの態様が、それぞれ図１２〜図１３に示されている。以下の図１２〜図１３の説明に付随するテキストは、３ＧＰＰ  ＴＲ  ３６．８４２のセクション８．１．１．１および８．１．１．８から適応されている。代替形態１２００（１Ａ）は、ＳｅＮＢにおいて終端するＳ１−Ｕ＋独立ＰＤＣＰの組合せ（ベアラスプリットなし）である。それは、一例としてダウンリンク方向を示す、図１２に示されている。この代替形態１２００（１Ａ）の予想される利益は、ＭｅＮＢが、ＳｅＮＢによって送信されたＥＰＳベアラのためのパケットをバッファまたは処理する必要を回避することと、ＰＤＣＰ／ＲＬＣおよびＧＴＰ−Ｕ／ＵＤＰ／ＩＰへの影響を防ぐことと、すべてのトラフィックをＭｅＮＢにルーティングする必要を回避することと、ＭｅＮＢとＳｅＮＢとの間のバックホールリンクに関する低い要件、およびその２つの間で必要とされるフロー制御の必要を回避することと、デュアル接続性ＵＥのために簡単であるための、ローカルブレークアウトのサポートおよびＳｅＮＢにおけるコンテンツキャッシングとを含み得る。この代替形態１２００（１Ａ）の予想される欠点は、ＳｅＮＢモビリティがＣＮに可視であることと、オフローディングがＭＭＥによって実施される必要があり、あまり動的でないことがあることと、ＭｅＮＢとＳｅＮＢの両方において暗号化が必要とされることによるセキュリティ影響と、同じベアラのためのＭｅＮＢとＳｅＮＢとにわたる無線リソースの利用が可能でないことと、ＳｅＮＢによって扱われるベアラについて、ＳｅＮＢ間のフォワーディングに伴うＳｅＮＢ変更時のハンドオーバのような中断と、アップリンクにおいて、アップリンクデータの送信に対する論理チャネル優先度付け影響（無線リソース割振りは、無線ベアラがそこで終端するｅＮＢに制限される）とを含み得る。
【００７４】
[0089]代替形態１３００（３Ｃ）は、ＭｅＮＢにおいて終端するＳ１−Ｕ＋ＭｅＮＢにおけるベアラスプリット＋スプリットされたベアラのための独立ＲＬＣの組合せである。それは、一例としてダウンリンク方向を取る、図１３に示されている。この代替形態の予想される利益は、ＳｅＮＢモビリティがＣＮに対して隠されることと、暗号化がＭｅＮＢのみにおいて必要とされることによるセキュリティ影響の回避と、ＳｅＮＢ変更時に必要とされるＳｅＮＢ間のデータフォワーディングの回避と、ＭｅＮＢからＳｅＮＢへのＳｅＮＢトラフィックのＲＬＣ処理をオフローディングすることと、ＲＬＣへの影響を回避することと、同じベアラのためのＭｅＮＢとＳｅＮＢとにわたる無線リソースの利用を可能にすることと、ＳｅＮＢモビリティのための要件を緩和すること（その間にＭｅＮＢが使用され得る）とを含み得る。この代替形態の予想される欠点は、ＭｅＮＢにおいてすべてのデュアル接続性トラフィックをルーティング、処理およびバッファリングすることを必要とすることと、送信のためにＰＤＣＰ  ＰＤＵをｅＮＢにルーティングし、受信のためにそれらを並べ替えることをＰＤＣＰに担当させることと、ＭｅＮＢとＳｅＮＢとの間のフロー制御を必要とすることと、アップリンクにおいて、ＲＬＣ再送信とＲＬＣステータスＰＤＵとを扱うことに対する論理チャネル優先度付け影響（対応するＲＬＣエンティティがそこに常駐するｅＮＢに制限される）と、デュアル接続性ＵＥのための、ローカルブレークアウトのサポートとＳｅＮＢにおけるコンテンツキャッシングとの欠如とを含み得る。
【００７５】
[0090]さらなる背景として、図１４に、デュアル接続性ベアラのＳｅＮＢ追加／変更のためのコールフロー１４００を示す。ステップ１〜１０は、図１０に関して上記で説明したようなものであり得る。３ＧＰＰ  ＴＲ  ３６．８４２のセクションＧ．１に示されているように、コールフロー１４００は、デュアル接続性動作のためのＳｅＮＢリソースの追加および変更のための全体的シグナリング方式を示す。このシグナリング方式は、本明細書において上記で説明した追加および変更シグナリング方式との比較を可能にするためにここに再現され、したがって、すべての詳細が与えられるとは限らない。ステップ１１までのテキストは、Ｔ．Ｓ．３６．８４２のＧ．１から適応されている。アーキテクチャ１Ａのみに関連するＳ１−ＭＭＥおよびＸ２−Ｃシグナリング部分は破線で示されている（ステップ６、７、１１〜１３）。
【００７６】
[0091]図１４に示されているように、デュアル接続性動作のためにＳｅＮＢにおけるリソースをアクティブ化／変更することは、Ｓ−ＧＷが変更されないと仮定すると、以下のステップを伴い得る。
【００７７】
[0092]ステップ１ａにおいて、ＭｅＮＢは、特定のＥ−ＲＡＢのための無線リソースを追加するかまたは変更することをＳｅＮＢに要求すると決定する。ステップ１ｂにおいて、ＳｅＮＢは、特定のＥ−ＲＡＢ．ＦＦＳのための無線リソースを変更すると決定する。このステップは、たとえば、ＵＥの能力を超えないことを確認するための、ＳｅＮＢとＭｅＮＢとの間の追加の協調を含み得る。
【００７８】
[0093]ステップ２において、ＭｅＮＢは、無線リソースを割り振る／変更することをＳｅＮＢに要求する。実際のシナリオに応じて、それは、Ｅ−ＲＡＢ特性（Ｅ−ＲＡＢパラメータ、ＵＰオプションに対応するＴＮＬアドレス情報）、ＵＥ能力およびＵＥの現在の無線リソース構成、または同様のパラメータを含んでいることがある。
【００７９】
[0094]ステップ３において、ＳｅＮＢ中のＲＲＭエンティティがリソース要求を承認することが可能である場合、それは、それぞれの無線リソースと、ＵＰオプションに応じて、それぞれのトランスポートネットワークリソースとを構成する。ＳｅＮＢはまた、ＳｅＮＢ無線リソース構成の同期が実施され得るように、ＵＥのために専用ＲＡＣＨプリアンブルを割り振り得る。
【００８０】
[0095]ステップ４において、ＳｅＮＢは、ＭｅＮＢに新しい無線リソース構成を与える（ＵＰ代替形態１Ａの場合、それは、実際のシナリオに応じて、それぞれのＥ−ＲＡＢのためのＳ１  ＤＬ  ＴＮＬアドレス情報を含んでいることがあり、ＵＰ代替形態３Ｃの場合、Ｘ２  ＤＬ  ＴＮＬアドレス情報を含んでいることがある）。
【００８１】
[0096]ステップ５において、ＭｅＮＢは、新しい構成を是認し、それを適用するようにＵＥをトリガする。ＵＥは、新しい構成を適用することを開始する。ステップ６〜７において、アーキテクチャオプション１Ａの場合、ＭｅＮＢは、それぞれのＥ−ＲＡＢ特性に応じて、デュアル接続性のアクティブ化（データフォワーディング、ＳＮステータス報告）によるサービス中断を最小限に抑えるためのアクションをとり得る。ステップ８において、ＵＥは再構成プロシージャを完了する。アーキテクチャオプション３Ｃの場合、ＳｅＮＢからＵＥへのユーザプレーンデータの送信は、同期プロシージャに応じてステップ８またはステップ９の後に行われ得る。
【００８２】
[0097]ステップ９において、ＵＥは、必要な場合、ＳｅＮＢのセルへの同期を実施する。ステップ１０において、ＳｅＮＢは、ＵＥとの同期の検出をＭｅＮＢに報告し、新しい構成が使用されていることを確認する。ＭｅＮＢによるステップ１０におけるメッセージの受信は、Ｘ２上のＳｅＮＢ追加／変更プロシージャ全体を正常に完了する。ＲＲＣ再構成および同期の順序に関する決定、または同期のサポートに関する決定に応じて、ステップ１０は、上記で説明したように、または逆方向（ＭｅＮＢからＳｅＮＢへ）において必要であり得る。
【００８３】
[0098]１１．〜１３．ＵＰオプション１Ａでは、適用可能な場合、ＥＰＣへのＵＰ経路の更新が実施される。
【００８４】
[0099]ステップ１１において、マスタｅＮＢは、（その処理が変更されているデータベアラを除外し得る）オフロードされるべきデータベアラのためのＥ−ＲＡＢ変更指示メッセージをＭＭＥに送り得る。このメッセージは、ＭＭＥについてのＭＭＥ  ＵＥ  Ｓ１ＡＰ  ＩＤと、２次ｅＮＢについてのｅＮＢ  ＵＥ  Ｓ１ＡＰ  ＩＤと、オフロードされるべきデータベアラのリストと、ｅＮＢ  ＧＴＰ−Ｕアドレス指定情報などの各データベアラについての関連情報とを含み得る。ステップ１１は、ステップ９および１０の任意の時間後に（たとえば、直後に）行われ得る。
【００８５】
[00100]応答して、ステップ１２において、ＭＭＥは、ベアラ変更要求メッセージをサービングゲートウェイ／ＰＤＮゲートウェイ（Ｓ−ＧＷ）に送り得る。このメッセージは、オフロードされるべきデータベアラのリストと、データベアラＩＤ（たとえば、デフォルトデータベアラおよびすべての専用データベアラについてのデータベアラＩＤ）、（デフォルトデータベアラとＵＥの専用データベアラとを一意に識別するために使用され得る）ユーザプレーンのためのマスタｅＮＢのＴＥＩＤおよびＩＰｖ４アドレス、および／または他の情報などの各データベアラについての関連情報とを含み得る。ＭＭＥは、Ｅ−ＲＡＢ変更確認メッセージをマスタｅＮＢに送り得る（ステップ１３）。
【００８６】
[00101]図１５を参照すると、ＳｅＮＢ解放（ＭｅＮＢ主導型）のための例示的なコールフロー１５００が示されている。以下の図１５に付随するテキストは、３ＧＰＰ  ＴＲ  ３６．８４２のセクションＧ．２から適応されている。図１５は、デュアル接続性動作のためにＵＥへのＳｅＮＢリソースを解放するためのＭｅＮＢ主導型全体的シグナリング方式を示している。
【００８７】
[00102]ＭｅＮＢが、ＳｅＮＢにそのＵＥのうちの１つのためのサービングセルを解放することを要求し、ＳｅＮＢが、（１つまたは複数の）サービングセルを解放することになるコンテナを作成するかどうか、または、ＳｅＮＢが、（１つまたは複数の）サービングセルを解放することになるコンテナを開始および作成するかどうか、または、ＭｅＮＢが、それ自体によって、ＳｅＮＢによって維持されるサービングセルを解放することができるかどうかが、さらなる説明のトピックである。
【００８８】
[00103]図１５に示されているように、デュアル接続性動作のためにＵＥへのＳｅＮＢリソースを解放することは、以下のステップを伴い得る。ステップ１において、ＭｅＮＢは、ＵＥへのＳｅＮＢリソースを削除すると決定する。ステップ２において、ＭｅＮＢは、ＳｅＮＢにそのリソースを解放することを要求する。ステップ３において、ＳｅＮＢはＭｅＮＢの要求に従う。ステップ４において、ＳｅＮＢはＭｅＮＢの解放要求に応答する。ステップ５において、ＭｅＮＢはＵＥに再構成をシグナリングする。ＵＥは、このＳｅＮＢへの関連する構成を解放する。ステップ６〜７において、ＵＰオプション１ＡおよびそれぞれのＥ−ＲＡＢ特性の場合、ＭｅＮＢは、ＳｅＮＢリソースの解放（データフォワーディング、ＳＮステータス報告）によるサービス中断を最小限に抑えるためのアクションをとり得る。ステップ８において、ＵＥは再構成プロシージャの完了を示す。ステップ９〜１１において、ＵＰオプション１Ａの場合、ＥＰＣへのＵＰ経路の更新が実施される。コールフロー１５００はＳ−ＧＷが変更されないと仮定することを諒解されたい。
【００８９】
[00104]図１６〜図２３に、上記のより詳細な説明の態様を要約する方法および装置を示す。これらの概要は、上記で説明したより詳細な態様を補足するものであり、それに代わるものではない。したがって、概要説明中に含まれる動作または構成要素は、いくつかの実施形態において本開示のより詳細な態様を組み込み得ることを諒解されたい。
【００９０】
[00105]図１６は、ＭｅＮＢとＳｅＮＢとによってＵＥのデュエル接続性をサポートするワイヤレス通信のためのマスタ基地局による方法１６００を示している。方法１６００は、１６１０において、ワイヤレス通信システムの第１の基地局（ＭｅＮＢ）によってＵＥへの接続を確立することを含み得る。方法１６００は、１６２０において、ＵＥが第１の基地局に接続されている間にも接続することが可能である第２の基地局（ＳｅＮＢ）を識別することをさらに含み得る。方法１６００は、１６３０において、第１の基地局と第２の基地局とへのＵＥのデュアル接続性が許可されるかどうかを決定することをさらに含み得る。方法１６００は、１６４０において、決定することに基づいて、ＵＥを第２の基地局にハンドオーバすること、または第２の基地局へのＵＥのためのデュアル接続性を開始することのうちの１つを選択することをさらに含み得る。
【００９１】
[00106]いくつかの非排他的代替態様では、決定動作１６３０は、第２の基地局の識別情報に、第１の基地局の構成に、デュアル接続性をサポートする第２の基地局の能力に、モビリティ管理エンティティ（ＭＭＥ）または別の基地局のうちの少なくとも１つによって第１の基地局に与えられたＵＥへの接続のためのコンテキスト情報に、ＵＥに関連付けられた１つまたは複数のベアラのＱｏＳ要件に、またはＵＥの能力に少なくとも部分的に基づき得る。選択動作１６４０は、デュアル接続性を開始することに対するハンドオーバすることについての定義済みの優先度に少なくとも部分的に、および／またはベアラのトラフィック量に少なくとも部分的に基づき得る。追加または代替として、選択すること１６４０は、測定基準に少なくとも部分的にさらに基づき得る。一態様では、測定基準は、デュアル接続性およびハンドオーバのための異なる測定イベントを構成することに基づき得る。
【００９２】
[00107]図１７は、方法１６００と併せてマスタ基地局によって実施され得る、さらなる随意の動作または態様１７００を示している。図１７に示された動作は、方法１６００を実施するために必要とされない。動作１７００は、独立して実施され、相互排他的ではない。したがって、別のダウンストリームまたはアップストリーム動作が実施されるかどうかにかかわらず、そのような動作のうちのいずれか１つが実施され得る。方法１６００が動作１７００のうちの少なくとも１つを含む場合、方法１６００は、必ずしも、図示され得るいかなる（１つまたは複数の）後続のダウンストリーム動作をも含む必要なしに、少なくとも１つの動作の後に終了し得る。
【００９３】
[00108]たとえば、方法１６００は、１７１０において、マスタ基地局と２次基地局とへのＵＥのデュアル接続性のための、第１のゲートウェイノードを介してルーティングされるベアラの変更を要求することをさらに含み得る。変更は、ネットワーク管理エンティティ、たとえば、ＭＭＥに要求され得る。方法１６００は、１７２０において、ネットワーク管理エンティティから要求を拒否するメッセージを受信することをさらに含み得る。方法１６００は、１７３０において、メッセージに応答して、デュアル接続性を使用することを中止するようにＵＥを再構成することをさらに含み得る。
【００９４】
[00109]図１８を参照すると、デュアル接続性をサポートするための、ワイヤレスネットワークにおける基地局として、あるいは基地局内で使用するためのプロセッサまたは同様のデバイスとして構成され得る、例示的な装置１８００が与えられている。装置１８００は、プロセッサ、ソフトウェア、ハードウェア、またはそれらの組合せ（たとえば、ファームウェア）によって実装される機能を表すことができる機能ブロックを含み得る。
【００９５】
[00110]装置１８００は、ＵＥへの接続を確立するための電気的構成要素１８０２を含み得る。たとえば、電気的構成要素１８０２は、トランシーバなどと、接続を確立するための命令を保持するメモリとに結合された少なくとも１つの制御プロセッサを含み得る。構成要素１８０２は、ＵＥへの接続を確立するための手段であり得るか、またはそれを含み得る。前記手段は、ＵＥとのＲＲＣメッセージ交換と、ＲＲＣメッセージ交換によって明示的にまたは暗黙的に確立されたパラメータに従って受信機と送信機とを構成することとを含むアルゴリズムを実行する制御プロセッサを含み得る。
【００９６】
[00111]装置１８００は、ＵＥが第１の基地局に接続されている間にも接続することが可能である第２の基地局を識別するための電気的構成要素１８０４を含み得る。たとえば、電気的構成要素１８０４は、トランシーバなどと、識別することを実施するための命令を保持するメモリとに結合された少なくとも１つの制御プロセッサを含み得る。構成要素１８０４は、ＵＥが第１の基地局に接続されている間にも接続することが可能である第２の基地局を識別するための手段であり得、またはそれを含み得る。前記手段は、ＵＥから、またはＭＭＥから第２の基地局の識別子を受信することと、代替または追加として、第２の基地局からのワイヤレス信号を検出および／または復号することと、代替または追加として、第２の基地局とメッセージを交換することとを含むアルゴリズムを実行する制御プロセッサを含み得る。
【００９７】
[00112]図示のように、一実施形態では、装置１８００は、第１の基地局と第２の基地局とへのＵＥのデュアル接続性が許可されるかどうかを決定するための電気的構成要素またはモジュール１８０６を含み得る。たとえば、電気的構成要素１８０６は、トランシーバなどと、１つまたは複数の基準に基づいて、第１の基地局と第２の基地局とへのＵＥのデュアル接続性が許可されるかどうかを決定するための命令をもつメモリとに結合された少なくとも１つの制御プロセッサを含み得る。構成要素１８０６は、第１の基地局と第２の基地局とへのＵＥのデュアル接続性が許可されるかどうかを決定するための手段であり得るか、またはそれを含み得る。前記手段は、第２の基地局の識別情報、第１の基地局の構成、デュアル接続性をサポートする第２の基地局の能力、ＭＭＥまたは別の基地局のうちの少なくとも１つによって第１の基地局に与えられたＵＥへの接続のためのコンテキスト情報、ＵＥに関連付けられた１つまたは複数のベアラのＱｏＳ要件、またはＵＥの能力のうちのいずれか１つまたは複数に少なくとも部分的に基づいて、デュアル接続性が許可されるかどうかを決定することを含むアルゴリズムを実行する制御プロセッサを含み得る。
【００９８】
[00113]装置１８００は、決定することに基づいて、ＵＥを第２の基地局にハンドオーバすること、または第２の基地局へのＵＥのためのデュアル接続性を開始することのうちの１つを選択するための電気的構成要素１８０８を含み得る。たとえば、電気的構成要素１８０８は、トランシーバなどと、選択することを実施するための命令を保持するメモリとに結合された少なくとも１つの制御プロセッサを含み得る。構成要素１８０８は、決定することに基づいて、ＵＥを第２の基地局にハンドオーバすること、または第２の基地局へのＵＥのためのデュアル接続性を開始することのうちの１つを選択するための手段であり得るか、またはそれを含み得る。前記手段は、デュアル接続性を開始することに対するハンドオーバすることについての定義済みの優先度に少なくとも部分的に、および／またはベアラのトラフィック量に少なくとも部分的に基づいて、選択することｅを実施することを含むアルゴリズムを実行する制御プロセッサを含み得る。追加または代替として、選択手段は、デュアル接続性とハンドオーバとのための異なる測定イベントを構成することに基づき得る測定基準に少なくとも部分的にさらに基づき得る。
【００９９】
[00114]装置１８００は、説明を簡単にするために図１８に示されていない、図１６〜図１７に関して説明した追加の動作１８００または態様のいずれかまたはすべてを実施するための同様の電気的構成要素を含み得る。
【０１００】
[00115]関係する態様では、マスタ基地局として構成された装置１８００の場合、装置１８００は、少なくとも１つのプロセッサを有するプロセッサ構成要素１８１０を随意に含み得る。そのような場合、プロセッサ１８１０は、バス１８１２または同様の通信結合を介して構成要素１８０２〜１８０８または同様の構成要素と動作可能に通信していることがある。プロセッサ１８１０は、電気的構成要素１８０２〜１８０８によって実施されるプロセスまたは機能の起動とスケジューリングとを実施し得る。プロセッサ１８１０は、全体的にまたは部分的に、構成要素１８０２〜１８０８を包含し得る。代替として、プロセッサ１８１０は、１つまたは複数の別個のプロセッサを含み得る構成要素１８０２〜１８０８とは別個であり得る。
【０１０１】
[00116]さらなる関係する態様では、装置１８００は無線トランシーバ構成要素１８１４を含み得る。トランシーバ１８１４の代わりにまたはトランシーバ１８１４とともに、スタンドアロン受信機および／またはスタンドアロン送信機が使用され得る。代替または追加として、装置１８００は、異なるキャリア上で送信および受信するために使用され得る、複数のトランシーバまたは送信機／受信機ペアを含み得る。装置１８００は、たとえば、メモリデバイス／構成要素１８１６など、情報を記憶するための構成要素を随意に含み得る。コンピュータ可読媒体またはメモリ構成要素１８１６は、バス１８１２などを介して装置１８００の他の構成要素に動作可能に結合され得る。メモリ構成要素１８１６は、構成要素１８０２〜１８０８、およびそれらの副構成要素、またはプロセッサ１８１０、追加の態様９００〜１１００、または本明細書で開示する方法のアクティビティを実施するための、コンピュータ可読命令とデータとを記憶するように適応され得る。メモリ構成要素１８１６は、構成要素１８０２〜１８０８に関連付けられた機能を実行するための命令を保持し得る。メモリ１８１６の外部にあるものとして示されているが、構成要素１８０２〜１８０８はメモリ１８１６の内部に存在することができることを理解されたい。
【０１０２】
[00117]図１９は、デュアル接続性をサポートするワイヤレス通信のためのコアネットワークエンティティによる方法１９００を示している。コアネットワークエンティティは、ワイヤレス通信ネットワークのネットワーク管理エンティティ（たとえば、ＭＭＥ）であり得るか、またはそれを含み得る。方法１９００は、１９１０において、コアネットワークエンティティによって、マスタ基地局と２次基地局とへのＵＥのデュアル接続性のための、第１のゲートウェイノードを介してルーティングされるベアラの変更についての要求を受信することを含み得る。方法１９００は、１９２０において、変更が、ベアラが第２のゲートウェイノードに再配置されることを必要とすると決定することを含み得る。方法１９００は、１９３０において、決定することに基づいて、要求を拒否すること、またはＵＥに関連付けられたすべてのベアラを第２のゲートウェイノードに再配置することのうちの少なくとも１つを実施することを含み得る。
【０１０３】
[00118]随意の態様では、方法１９００は、１９４０において、拒否することの理由を示すメッセージで要求に返答することを含み得る。拒否することの理由は、たとえば、ゲートウェイノード再配置が必要とされること、ゲートウェイノード再配置がサポートされないこと、２次基地局とのデュアル接続性が許可されないこと、および要求されたベアラが、特定のベアラの識別情報を含むデュアル接続性に対して許可されないことのうちのいずれか１つまたは複数を含み得る。ゲートウェイノードは、サービングゲートウェイ（ＳＧＷ）であり得るか、またはそれを含み得る。
【０１０４】
[00119]方法１９００のいくつかの随意の態様では、実施動作１９３０は、ＵＥに関連付けられたベアラのすべてよりも少ないベアラが変更についての要求の中に含まれる場合、要求を拒否することを含み得る。代替または追加として、実施動作１９３０は、２次基地局へのＵＥのデュアル接続性が許可されない場合、要求を拒否することを含み得る。代替または追加として、実施動作１９３０は、ベアラのうちの１つまたは複数が２次基地局におけるデュアル接続性に対して許可されない場合、要求を拒否することを含み得る。方法１９００の他の随意の態様では、実施動作１９３０は、少なくとも部分的に、ＵＥに関連付けられた、要求の中に含まれないベアラを第２のゲートウェイノードに再配置されるように変更することによって、ＵＥに関連付けられたすべてのベアラを第２のゲートウェイノードに再配置することを含み得、ここにおいて、ＵＥに関連付けられた、要求の中に含まれないベアラは、再配置する前と同じマスタ基地局によってサービスされ続ける。
【０１０５】
[00120]他の随意の態様では、方法１９００は、変更についての要求の中に含まれる識別子に基づいて、マスタ基地局および２次基地局のうちの１つまたは複数を識別すること、および／または、変更についての要求の中で、ＵＥに関連付けられたベアラをマスタ基地局または２次基地局によってサービスされていると識別することをさらに含み得る。
【０１０６】
[00121]他の随意の態様では、決定動作１９２０は、ターゲット２次基地局の識別情報に少なくとも部分的に基づき得る。代替または追加として、決定動作１９２０は、２次基地局が第１のゲートウェイノードによってサービスされるか否かに少なくとも部分的に基づき得る。
【０１０７】
[00122]図２０を参照すると、デュエル接続性をサポートするための、ワイヤレスネットワークにおけるコアネットワークノード（たとえば、ＭＭＥ）として、あるいはネットワークノード内で使用するためのプロセッサまたは同様のデバイスとして構成され得る、例示的な装置２０００が与えられている。装置２０００は、プロセッサ、ソフトウェア、ハードウェア、またはそれらの組合せ（たとえば、ファームウェア）によって実装される機能を表すことができる機能ブロックを含み得る。
【０１０８】
[00123]図示のように、一実施形態では、装置２０００は、マスタ基地局と２次基地局とへのＵＥのデュアル接続性のための、第１のゲートウェイノードを介してルーティングされるベアラの変更についての要求を受信するための電気的構成要素またはモジュール２００２を含み得る。たとえば、電気的構成要素２００２は、トランシーバなどと、ベアラ変更要求を受信するための命令をもつメモリとに結合された少なくとも１つの制御プロセッサを含み得る。構成要素２００２は、マスタ基地局と２次基地局とへのＵＥのデュアル接続性のための、第１のゲートウェイノードを介してルーティングされるベアラの変更についての要求を受信するための手段であり得るか、またはそれを含み得る。前記手段は、たとえば、信号を受信することと、信号を復号することと、ベアラを変更するようにとの要求として信号を認識することとを含むアルゴリズムを実行する制御プロセッサを含み得る。
【０１０９】
[00124]装置２０００は、変更が、ベアラが第２のゲートウェイノードに再配置されることを必要とすると決定するための電気的構成要素２００４を含み得る。たとえば、電気的構成要素２００４は、トランシーバなどと、決定を行うための命令を保持するメモリとに結合された少なくとも１つの制御プロセッサを含み得る。構成要素２００４は、変更が、ベアラが第２のゲートウェイノードに再配置されることを必要とすると決定するための手段であり得るか、またはそれを含み得る。前記手段は、たとえば、ターゲット２次基地局の識別情報に、および／または２次基地局が第１のゲートウェイノードによってサービスされるか否かに少なくとも部分的に基づいて決定を行うことを含むアルゴリズムを実行する制御プロセッサを含み得る。たとえば、２次基地局が第１のゲートウェイノードによってサービスされない場合、ネットワークエンティティは、ベアラを再配置することが必要とされると決定し得る。
【０１１０】
[00125]装置２０００は、決定することに基づいて、要求を拒否すること、またはＵＥに関連付けられたすべてのベアラを第２のゲートウェイノードに再配置することのうちの少なくとも１つを実施するための電気的構成要素２００６を含み得る。たとえば、電気的構成要素２００６は、トランシーバなどと、決定することの結果に基づいて、要求を拒否するかまたはベアラを再配置するための命令を保持するメモリとに結合された少なくとも１つの制御プロセッサを含み得る。構成要素２００６は、決定することに基づいて、要求を拒否すること、またはＵＥに関連付けられたすべてのベアラを第２のゲートウェイノードに再配置することのうちの少なくとも１つを実施するための手段であり得るか、またはそれを含み得る。前記手段は、たとえば、ＵＥに関連付けられたベアラのすべてよりも少ないベアラが変更についての要求の中に含まれる場合、要求を拒否すること、２次基地局へのＵＥのデュアル接続性が許可されない場合、要求を拒否すること、ベアラのうちの１つまたは複数が２次基地局におけるデュアル接続性に対して許可されない場合、要求を拒否すること、または、少なくとも部分的に、ＵＥに関連付けられた、要求の中に含まれないベアラを第２のゲートウェイノードに再配置されるように変更することによって、ＵＥに関連付けられたすべてのベアラを第２のゲートウェイノードに再配置すること（ここで、ＵＥに関連付けられた、要求の中に含まれないベアラは、同じマスタ基地局によってサービスされ続ける）、を含むアルゴリズムを実行する制御プロセッサを含み得る。
【０１１１】
[00126]装置２０００は、説明を簡単にするために図２０に示されていない、図１９に関して説明した追加の動作のいずれかまたはすべてを実施するための同様の電気的構成要素を含み得る。
【０１１２】
[00127]関係する態様では、ネットワークエンティティとして構成された装置２０００の場合、装置２０００は、少なくとも１つのプロセッサを有するプロセッサ構成要素２０１０を随意に含み得る。そのような場合、プロセッサ２０１０は、バス２０１２または同様の通信結合を介して構成要素２００２〜２００６または同様の構成要素と動作可能に通信していることがある。プロセッサ２０１０は、電気的構成要素２００２〜２００６によって実施されるプロセスまたは機能の起動とスケジューリングとを実施し得る。プロセッサ２０１０は、全体的にまたは部分的に、構成要素２００２〜２００６を包含し得る。代替として、プロセッサ２０１０は、１つまたは複数の別個のプロセッサを含み得る構成要素２００２〜２００６とは別個であり得る。
【０１１３】
[00128]さらなる関係する態様では、装置２０００は、ネットワークインターフェース構成要素２０１４、たとえば、ワイヤード、光ファイバー、またはワイヤレスネットワークインターフェースなどのためのネットワークポートを含み得る。装置２０００は、たとえば、メモリデバイス／構成要素２０１６など、情報を記憶するための構成要素を随意に含み得る。コンピュータ可読媒体またはメモリ構成要素２０１６は、バス２０１２などを介して装置２０００の他の構成要素に動作可能に結合され得る。メモリ構成要素２０１６は、構成要素２００２〜２００６、およびそれらの副構成要素、またはプロセッサ２０１０、図１９に関して説明した追加の態様、または本明細書で開示する方法のアクティビティを実施するための、コンピュータ可読命令とデータとを記憶するように適応され得る。メモリ構成要素２０１６は、構成要素２００２〜２００６に関連付けられた機能を実行するための命令を保持し得る。メモリ２０１６の外部にあるものとして示されているが、構成要素２００２〜２００６はメモリ２０１６の内部に存在することができることを理解されたい。
【０１１４】
[00129]図２１は、ＵＥのためのデュアル接続性をサポートするベアラの変更を要求することを含む、ワイヤレス通信のための基地局による方法２１００を示している。基地局は、ワイヤレス通信ネットワークのマスタ基地局（たとえば、ＭｅＮＢ）であり得る。方法２１００は、２１１０において、ワイヤレス通信システムの第１の基地局によって、ＵＥのデュアル接続性のためのＵＥに関連付けられたベアラを第２の基地局によってサービスすると決定することを含み得る。方法２１００は、２１２０において、ネットワークエンティティ（たとえば、ＭＭＥまたは同様のコアネットワーク管理エンティティ）に、第２の基地局によってサービスされるためのＵＥに関連付けられたベアラの変更を要求することをさらに含み得、ここにおいて、要求することは、ベアラの識別子とともに第２の基地局の識別子をネットワークエンティティに送ることを備える。一態様では、ベアラをサービスすると決定すること２１１０は、第２の基地局に関係する測定基準、第２の基地局の負荷、ベアラのＱｏＳ要件、および／またはベアラのトラフィック量のうちの１つまたは複数に少なくとも部分的に基づき得る。
【０１１５】
[00130]図２２を参照すると、デュアル接続性において使用されるベアラの再配置をサポートするための、ワイヤレスネットワークにおけるマスタ基地局として、あるいはマスタ基地局内で使用するためのプロセッサまたは同様のデバイスとして構成され得る、例示的な装置２２００が与えられている。装置２２００は、プロセッサ、ソフトウェア、ハードウェア、またはそれらの組合せ（たとえば、ファームウェア）によって実装される機能を表すことができる機能ブロックを含み得る。
【０１１６】
[00131]図示のように、一実施形態では、装置２２００は、ワイヤレス通信システムの第１の基地局によって、ＵＥのデュアル接続性のためのＵＥに関連付けられたベアラを第２の基地局によってサービスすると決定するための電気的構成要素またはモジュール２２０２を含み得る。たとえば、電気的構成要素２２０２は、トランシーバなどと、決定を行うための命令をもつメモリとに結合された少なくとも１つの制御プロセッサを含み得る。構成要素２２０２は、ワイヤレス通信システムの第１の基地局によって、ＵＥのデュアル接続性のためのＵＥに関連付けられたベアラを第２の基地局によってサービスすると決定するための手段であり得るか、またはそれを含み得る。前記手段は、第２の基地局に関係する測定基準、第２の基地局の負荷、ベアラのＱｏＳ要件、および／またはベアラのトラフィック量のうちの１つまたは複数に少なくとも部分的に基づいて、ベアラをサービスすると決定することを含むアルゴリズムを実行する制御プロセッサを含み得る。
【０１１７】
[00132]装置２２００は、ネットワークエンティティに、第２の基地局によってサービスされるためのＵＥに関連付けられたベアラの変更を要求するための電気的構成要素２２０４を含み得、ここにおいて、要求することは、ベアラの識別子とともに第２の基地局の識別子をネットワークエンティティに送ることを備える。たとえば、電気的構成要素２２０４は、トランシーバなどと、要求することのための命令を保持するメモリとに結合された少なくとも１つの制御プロセッサを含み得る。構成要素２２０４は、ネットワークエンティティに、第２の基地局によってサービスされるためのＵＥに関連付けられたベアラの変更を要求するための手段であり得るか、またはそれを含み得、ここにおいて、要求することは、ベアラの識別子とともに第２の基地局の識別子をネットワークエンティティに送ることを備える。前記手段は、たとえば、変更要求プロトコルに従ってフォーマットされたメッセージを準備することと、メッセージ中に識別子を含めることと、ネットワークインターフェースを介してメッセージをネットワークエンティティに（たとえば、ＭＭＥに）送信することとを含むアルゴリズムを実行する制御プロセッサを含み得る。
【０１１８】
[00133]装置２２００は、説明を簡単にするために図２２に示されていない、図２１に関して説明した追加の動作のいずれかまたはすべてを実施するための同様の電気的構成要素を含み得る。
【０１１９】
[00134]関係する態様では、ネットワークエンティティとして構成された装置２２００の場合、装置２２００は、少なくとも１つのプロセッサを有するプロセッサ構成要素２２１０を随意に含み得る。そのような場合、プロセッサ２２１０は、バス２２１２または同様の通信結合を介して構成要素２２０２〜２２０４または同様の構成要素と動作可能に通信していることがある。プロセッサ２２１０は、電気的構成要素２２０２〜２２０４によって実施されるプロセスまたは機能の起動とスケジューリングとを実施し得る。プロセッサ２２１０は、全体的にまたは部分的に、構成要素２２０２〜２２０４を包含し得る。代替として、プロセッサ２２１０は、１つまたは複数の別個のプロセッサを含み得る構成要素２２０２〜２２０４とは別個であり得る。
【０１２０】
[00135]さらなる関係する態様では、装置２２００は無線トランシーバ構成要素２２１４を含み得る。トランシーバ２２１４の代わりにまたはトランシーバ２２１４とともに、スタンドアロン受信機および／またはスタンドアロン送信機が使用され得る。代替または追加として、装置２２００は、異なるキャリア上で送信および受信するために使用され得る、複数のトランシーバまたは送信機／受信機ペアを含み得る。装置２２００は、たとえば、メモリデバイス／構成要素２２１６など、情報を記憶するための構成要素を随意に含み得る。コンピュータ可読媒体またはメモリ構成要素２２１６は、バス２２１２などを介して装置２２００の他の構成要素に動作可能に結合され得る。メモリ構成要素２２１６は、構成要素２２０２〜２２０４、およびそれらの副構成要素、またはプロセッサ２２１０、図２１に関して説明した追加の態様、または本明細書で開示する方法のアクティビティを実施するための、コンピュータ可読命令とデータとを記憶するように適応され得る。メモリ構成要素２２１６は、構成要素２２０２〜２２０４に関連付けられた機能を実行するための命令を保持し得る。メモリ２２１６の外部にあるものとして示されているが、構成要素２２０２〜２２０４はメモリ２２１６の内部に存在することができることを理解されたい。
【０１２１】
[00136]図２３に、図１におけるＵＥ１１０およびｅＮＢ／基地局１３０のより詳細な例を示す。ｅＮＢ１３０はＴ個のアンテナ２０３４ａ〜２０３４ｔを装備し得、ＵＥ１１０はＲ個のアンテナ２０５２ａ〜２０５２ｒを装備し得、ただし、概してＴ≧１およびＲ≧１である。
【０１２２】
[00137]ｅＮＢ１３０において、送信プロセッサ２０２０は、データソース２０２２から１つまたは複数のＵＥのためのデータを受信し、コントローラ／プロセッサ２０４０から制御情報を受信し得る。データソース２０２２は、ｅＮＢ１３０によってサービスされるＵＥ１１０と他のＵＥとのために構成されたすべてのデータベアラのためのデータバッファを実装し得る。送信プロセッサ２０２０は、それぞれデータシンボルおよび制御シンボルを取得するために、データおよび制御情報を処理（たとえば、符号化、インターリーブ、およびシンボルマッピング）し得る。送信プロセッサ２０２０はまた、１つまたは複数の基準信号のための基準シンボルを生成し得る。送信（ＴＸ）多入力多出力（ＭＩＭＯ）プロセッサ２０３０は、適用可能な場合、データシンボル、制御シンボル、および／または基準シンボルに対して空間処理（たとえば、プリコーディング）を実施し得、Ｔ個の変調器（ＭＯＤ）２０３２ａ〜２０３２ｔにＴ個の出力シンボルストリームを与え得る。各変調器２０３２は、出力サンプルストリームを取得するために、（たとえば、ＯＦＤＭ、ＳＣ−ＦＤＭＡ、ＣＤＭＡなどのために）それぞれの出力シンボルストリームを処理し得る。各変調器２０３２は、アップリンク信号を取得するために、出力サンプルストリームをさらに処理（たとえば、アナログ変換、増幅、フィルタ処理、およびアップコンバート）し得る。変調器２０３２ａ〜２０３２ｔからのＴ個のアップリンク信号は、それぞれＴ個のアンテナ２０３４ａ〜２０３４ｔを介して送信され得る。
【０１２３】
[00138]ＵＥ１１０において、アンテナ２０５２ａ〜２０５２ｒが、ｅＮＢ１３０および他のｅＮＢからダウンリンク信号を受信し得、受信信号をそれぞれ復調器（ＤＥＭＯＤ）２０５４ａ〜２０５４ｒに与え得る。各復調器２０５４は、受信サンプルを取得するために、それぞれの受信信号を調整（たとえば、フィルタ処理、増幅、ダウンコンバート、およびデジタル化）し得る。各復調器２０５４は、受信シンボルを取得するために、受信サンプルをさらに処理し得る。ＭＩＭＯ検出器２０５６は、すべてのＲ個の復調器２０５４ａ〜２０５４ｒから受信シンボルを取得し得、検出されたシンボルを取得するために受信シンボルに対してＭＩＭＯ検出を実施し得る。受信プロセッサ２０５８は、検出されたシンボルを処理（たとえば、シンボルデマッピング、デインターリーブ、および復号）し、復号されたデータをデータシンク２０６０に与え、復号された制御情報をコントローラ／プロセッサ２０８０に与え得る。
【０１２４】
[00139]アップリンク上では、ＵＥ１１０において、データソース２０６２からのデータと、コントローラ／プロセッサ２０８０からの制御情報とが、送信プロセッサ２０６４によって処理され、適用可能な場合はＴＸ  ＭＩＭＯプロセッサ２０６６によってプリコードされ、変調器２０５４ａ〜２０５４ｒによって調整され、ｅＮＢ１３０および他のｅＮＢに送信され得る。ｅＮＢ１３０において、ＵＥ１１０および他のＵＥからのアップリンク信号は、アンテナ２０３４によって受信され、復調器２０３２によって調整され、ＭＩＭＯ検出器２０３６によって処理され、ＵＥ１１０および他のＵＥによって送られたデータおよび制御情報を取得するために受信プロセッサ２０３８によってさらに処理され得る。プロセッサ２０３８は、復号されたデータをデータシンク２０３９に与え、復号された制御情報をコントローラ／プロセッサ２０４０に与え得る。
【０１２５】
[00140]コントローラ／プロセッサ２０４０および２０８０は、それぞれｅＮＢ１３０における動作およびＵＥ１１０における動作を指示し得る。メモリ２０４２および２０８２は、それぞれｅＮＢ１３０およびＵＥ１１０のためのデータおよびプログラムコードを記憶し得る。スケジューラ２０４４は、ダウンリンクおよびアップリンク上でのデータ送信のためにＵＥ１１０および他のＵＥをスケジュールし得、スケジュールされたＵＥにリソースを割り当て得る。プロセッサ２０４０ならびに／あるいはｅＮＢ１３０またはｅＮＢ１３２における他のプロセッサおよびモジュールは、図１０のコールフロー１０００、図１１のコールフロー１１００、図１４のコールフロー１４００、図１５のコールフロー１５００、図１６〜図１７の動作１７００をもつまたはもたないプロセス１６００、図１９のプロセス１９００、図２１のプロセス２１００、および／または本明細書で説明する技法のための他のコールフローおよびプロセスにおいて、それぞれＭｅＮＢまたはＳｅＮＢによって実施される動作を実施または指示し得る。プロセッサ２０８０ならびに／またはＵＥ１１０における他のプロセッサおよびモジュールは、コールフロー１０００、１１００、１４００、１５００、および／または本明細書で説明する技法のための他のコールフローおよびプロセスにおけるＵＥ１１０の動作を実施または指示し得る。
【０１２６】
[00141]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２７】
[00142]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【０１２８】
[00143]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１２９】
[00144]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサと一体であり得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１３０】
[00145]１つまたは複数の例示的な設計では、説明した機能は、ハードウェア、ソフトウェア、ファームウェアまたはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せも、コンピュータ可読媒体の範囲内に含まれるべきである。
【０１３１】
[00146]本開示についての以上の説明は、いかなる当業者も本開示を作成または使用することができるように与えたものである。本開示への様々な変更は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2019195202.tif 000004
【図２】
2019195202.tif 000005
【図３】
2019195202.tif 000006
【図４】
2019195202.tif 000007
【図５】
2019195202.tif 000008
【図６】
2019195202.tif 000009
【図７】
2019195202.tif 000010
【図８】
2019195202.tif 000011
【図９】
2019195202.tif 000012
【図１０】
2019195202.tif 000013
【図１１】
2019195202.tif 000014
【図１２】
2019195202.tif 000015
【図１３】
2019195202.tif 000016
【図１４】
2019195202.tif 000017
【図１５】
2019195202.tif 000018
【図１６】
2019195202.tif 000019
【図１７】
2019195202.tif 000020
【図１８】
2019195202.tif 000021
【図１９】
2019195202.tif 000022
【図２０】
2019195202.tif 000023
【図２１】
2019195202.tif 000024
【図２２】
2019195202.tif 000025
【図２３】
2019195202.tif 000026
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレス通信システムの第１の基地局によってユーザ機器（ＵＥ）への接続を確立することと、
前記ＵＥが、前記第１の基地局にも接続されている間に接続することが可能である第２の基地局を識別することと、
前記第１の基地局によって、および前記ＵＥに関連付けられたサービス品質（ＱｏＳ）要件に関する情報に少なくとも部分的に基づいて、前記第１の基地局と前記第２の基地局とへの前記ＵＥのデュアル接続性が許可されるかどうかを決定することと、
前記決定することに基づいて、前記ＵＥを前記第２の基地局にハンドオーバすること、または、前記第２の基地局への前記ＵＥのための前記デュアル接続性を開始すること、のうちの１つを選択することと
を備える、方法。
【請求項２】
前記第１の基地局と前記第２の基地局とへの前記ＵＥのデュアル接続性のための、第１のゲートウェイノードを介してルーティングされるベアラの変更を要求することをさらに備える、請求項１に記載の方法。
【請求項３】
前記ベアラの前記変更を前記要求することに基づいて、サービングゲートウェイ再配置の指示を受信することをさらに備える、請求項２に記載の方法。
【請求項４】
前記デュアル接続性が許可されるかどうかを前記決定することは、前記第２の基地局の識別情報に少なくとも部分的にさらに基づく、請求項１に記載の方法。
【請求項５】
前記デュアル接続性が許可されるかどうかを前記決定することは、前記第１の基地局の構成に少なくとも部分的にさらに基づく、請求項１に記載の方法。
【請求項６】
前記デュアル接続性が許可されるかどうかを前記決定することは、前記デュアル接続性をサポートする前記第２の基地局の能力に少なくとも部分的にさらに基づく、請求項１に記載の方法。
【請求項７】
前記デュアル接続性が許可されるかどうかを前記決定することは、モビリティ管理エンティティ（ＭＭＥ）または別の基地局のうちの少なくとも１つによって前記第１の基地局に与えられた前記ＵＥへの前記接続のためのコンテキスト情報に少なくとも部分的にさらに基づく、請求項１に記載の方法。
【請求項８】
前記ＱｏＳ要件は、前記ＵＥに関連付けられた１つまたは複数のベアラのものである、請求項１に記載の方法。
【請求項９】
前記選択することは、前記デュアル接続性を前記開始することに対する前記ハンドオーバすることについての定義済みの優先度に少なくとも部分的にさらに基づく、請求項１に記載の方法。
【請求項１０】
前記選択することは、測定基準に少なくとも部分的にさらに基づく、請求項１に記載の方法。
【請求項１１】
前記選択することは、前記ＵＥに関連付けられた１つまたは複数のベアラのトラフィック量に少なくとも部分的にさらに基づく、請求項１に記載の方法。
【請求項１２】
ワイヤレス通信システムの第１の基地局であって、
前記第１の基地局によって、ユーザ機器（ＵＥ）への接続を確立するための手段と、
前記ＵＥが前記第１の基地局にも接続されている間に接続することが可能である第２の基地局を識別するための手段と、
前記第１の基地局によって、および前記ＵＥに関連付けられたサービス品質（ＱｏＳ）要件に関する情報に少なくとも部分的に基づいて、前記第１の基地局と前記第２の基地局とへの前記ＵＥのデュアル接続性が許可されるかどうかを決定するための手段と、
前記決定することに基づいて、前記ＵＥを前記第２の基地局にハンドオーバすること、または、前記第２の基地局への前記ＵＥのための前記デュアル接続性を開始すること、のうちの１つを選択するための手段と
を備える、第１の基地局。
【請求項１３】
前記デュアル接続性が許可されるかどうかを前記決定することは、前記第２の基地局の識別情報、前記第１の基地局の構成、前記デュアル接続性をサポートする前記第２の基地局の能力、または、モビリティ管理エンティティ（ＭＭＥ）若しくは別の基地局のうちの少なくとも１つによって前記第１の基地局に与えられた前記ＵＥへの前記接続のためのコンテキスト情報、のうちの１つまたは複数に少なくとも部分的にさらに基づく、請求項１２に記載の第１の基地局。
【請求項１４】
前記選択することは、前記デュアル接続性を前記開始することに対する前記ハンドオーバすることについての定義済みの優先度、測定基準、または、前記ＵＥに関連付けられた１つまたは複数のベアラのトラフィック量、のうちの１つまたは複数に少なくとも部分的にさらに基づく、請求項１２に記載の第１の基地局。
【請求項１５】
前記ＱｏＳ要件は、前記ＵＥに関連付けられた１つまたは複数のベアラのものである、請求項１２に記載の第１の基地局。
【請求項１６】
前記第１の基地局と前記第２の基地局とへの前記ＵＥのデュアル接続性のための、第１のゲートウェイノードを介してルーティングされるベアラの変更を要求するための手段をさらに備える、請求項１２に記載の第１の基地局。
【請求項１７】
命令を記憶した非一時的コンピュータ可読記憶媒体であって、前記命令は、
プロセッサによって実行されたとき、前記プロセッサに、
マスタ基地局と２次基地局とへのユーザ機器（ＵＥ）のデュアル接続性のための、第１のゲートウェイノードを介してルーティングされるベアラの変更についての要求を受信することと、
前記変更は前記ベアラが第２のゲートウェイノードに再配置されることを必要とすると決定することと、
前記決定することに基づいて、前記要求を拒否すること、または、前記ＵＥに関連付けられたすべての前記ベアラを前記第２のゲートウェイノードに再配置すること、のうちの少なくとも１つを実施することと
を行わせる、１つまたは複数の命令を備え、
ここにおいて、前記要求を拒否すること、または、すべての前記ベアラを再配置することのうちの少なくとも１つを実施するための前記１つまたは複数の命令は、
前記ＵＥに関連付けられた前記ベアラのすべてよりも少ないベアラが変更についての前記要求の中に含まれる場合、前記要求を拒否するための１つまたは複数の命令
を備える、非一時的コンピュータ可読記憶媒体。
【請求項１８】
前記要求を拒否すること、または、すべての前記ベアラを再配置することのうちの少なくとも１つを実施するための前記１つまたは複数の命令は、前記２次基地局への前記ＵＥのデュアル接続性が許可されない場合、前記要求を拒否するための１つまたは複数の命令を備える、請求項１７に記載の非一時的コンピュータ可読記憶媒体。
【請求項１９】
前記要求を拒否すること、または、すべての前記ベアラを再配置することのうちの少なくとも１つを実施するための前記１つまたは複数の命令は、前記ベアラのうちの１つまたは複数が前記２次基地局におけるデュアル接続性に対して許可されない場合、前記要求を拒否することを実施するための１つまたは複数の命令を備える、請求項１７に記載の非一時的コンピュータ可読記憶媒体。
【請求項２０】
前記命令は、前記拒否することの理由を示すメッセージで前記要求に返答するための１つまたは複数の命令をさらに備え、
前記理由は、ゲートウェイノード再配置が必要とされること、ゲートウェイ再配置がサポートされないこと、前記２次基地局とのデュアル接続性が許可されないこと、または、前記変更が要求された前記ベアラが、特定のベアラの識別情報を含むデュアル接続性に対して許可されないこと、のうちの１つまたは複数を備える、請求項１７に記載の非一時的コンピュータ可読記憶媒体。
【請求項２１】
前記命令は、前記ベアラの前記変更についての前記要求の中に含まれる識別子に基づいて、前記マスタ基地局または前記２次基地局のうちの１つまたは複数を識別するための１つまたは複数の命令をさらに備える、請求項１７に記載の非一時的コンピュータ可読記憶媒体。
【請求項２２】
前記命令は、前記ベアラの前記変更についての前記要求の中で、前記ＵＥに関連付けられたベアラを前記マスタ基地局または前記２次基地局によってサービスされていると識別するための１つまたは複数の命令をさらに備える、請求項１７に記載の非一時的コンピュータ可読記憶媒体。
【請求項２３】
前記要求を拒否すること、または、すべての前記ベアラを再配置することのうちの少なくとも１つを実施するための前記１つまたは複数の命令は、
前記ＵＥに関連付けられた、前記要求の中に含まれない前記ベアラを前記第２のゲートウェイノードに再配置されるように変更することによって、前記ＵＥに関連付けられたすべての前記ベアラを前記第２のゲートウェイノードに再配置するための１つまたは複数の命令を備え、
前記ＵＥに関連付けられた、前記要求の中に含まれない前記ベアラが前記マスタ基地局によってサービスされ続ける、
請求項１７に記載の非一時的コンピュータ可読記憶媒体。
【請求項２４】
前記変更は前記ベアラが前記第２のゲートウェイノードに再配置されることを必要とすると決定するための前記１つまたは複数の命令は、
前記２次基地局の識別情報に基づいて、前記変更は前記ベアラが前記第２のゲートウェイノードに再配置されることを必要とすると決定するための１つまたは複数の命令を備える、請求項１７に記載の非一時的コンピュータ可読記憶媒体。
【請求項２５】
前記変更は前記ベアラが前記第２のゲートウェイノードに再配置されることを必要とすると決定するための前記１つまたは複数の命令は、
前記２次基地局が前記第１のゲートウェイノードによってサービスされるか否かに基づいて、前記変更は前記ベアラが前記第２のゲートウェイノードに再配置されることを必要とすると決定するための１つまたは複数の命令を備える、請求項１７に記載の非一時的コンピュータ可読記憶媒体。
【請求項２６】
ワイヤレス通信のために構成された装置であって、前記装置は、
マスタ基地局と２次基地局とへのユーザ機器（ＵＥ）のデュアル接続性のための、第１のゲートウェイノードを介してルーティングされるベアラの変更についての要求を受信することと、
前記変更は前記ベアラが第２のゲートウェイノードに再配置されることを必要とすると決定することと、
前記決定することに基づいて、前記要求を拒否すること、または、前記ＵＥに関連付けられたすべての前記ベアラを前記第２のゲートウェイノードに再配置すること、のうちの少なくとも１つを実施することと
を行うように構成された少なくとも１つのプロセッサを備え、
ここにおいて、前記要求を拒否すること、または、前記ＵＥに関連付けられたすべての前記ベアラを前記第２のゲートウェイノードに再配置することのうちの少なくとも１つを実施するとき、前記少なくとも１つのプロセッサが、
前記ＵＥに関連付けられた前記ベアラのすべてよりも少ないベアラが前記変更についての前記要求の中に含まれる場合、前記要求を拒否することを実施するように構成される、
装置。
【請求項２７】
前記要求を拒否すること、または、前記ＵＥに関連付けられたすべての前記ベアラを前記第２のゲートウェイノードに再配置することのうちの少なくとも１つを実施するとき、前記少なくとも１つのプロセッサが、
前記２次基地局への前記ＵＥの前記デュアル接続性が許可されない場合、または前記ベアラのうちの１つまたは複数が前記２次基地局における前記デュアル接続性に対して許可されない場合、前記要求を拒否することを実施するようにさらに構成される、請求項２６に記載の装置。
【請求項２８】
前記要求を拒否すること、または、前記ＵＥに関連付けられたすべての前記ベアラを前記第２のゲートウェイノードに再配置することのうちの少なくとも１つを実施するとき、前記少なくとも１つのプロセッサが、
前記ＵＥに関連付けられた、前記要求の中に含まれないベアラを前記第２のゲートウェイノードに再配置されるように変更することによって、前記ＵＥに関連付けられたすべての前記ベアラを前記第２のゲートウェイノードに再配置することを実施するように構成され、ここにおいて、前記ＵＥに関連付けられた、前記要求の中に含まれない前記ベアラは、前記マスタ基地局によってサービスされ続ける、
請求項２６に記載の装置。
【請求項２９】
前記変更は前記ベアラが前記第２のゲートウェイノードに再配置されることを必要とすると決定するとき、前記少なくとも１つのプロセッサは、
前記２次基地局の識別情報に基づいて、前記変更は前記ベアラが前記第２のゲートウェイノードに再配置されることを必要とすると決定するように構成される、請求項２６に記載の装置。
【請求項３０】
前記変更は前記ベアラが前記第２のゲートウェイノードに再配置されることを必要とすると決定するとき、前記少なくとも１つのプロセッサは、
前記２次基地局が前記第１のゲートウェイノードによってサービスされるか否かに基づいて、前記変更は前記ベアラが前記第２のゲートウェイノードに再配置されることを必要とすると決定するように構成される、請求項２６に記載の装置。
【手続補正２】
【補正対象書類名】明細書
【補正対象項目名】０１３１
【補正方法】変更
【補正の内容】
【０１３１】
[00146]本開示についての以上の説明は、いかなる当業者も本開示を作成または使用することができるように与えたものである。本開示への様々な変更は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
[Ｃ１]  ワイヤレス通信システムの第１の基地局によってユーザ機器（ＵＥ）への接続を確立することと、
前記ＵＥが前記第１の基地局に接続されている間にも接続することが可能である第２の基地局を識別することと、
前記第１の基地局と前記第２の基地局とへの前記ＵＥのデュアル接続性が許可されるかどうかを決定することと、
前記決定することに基づいて、前記ＵＥを前記第２の基地局にハンドオーバすること、または、前記第２の基地局への前記ＵＥのための前記デュアル接続性を開始すること、のうちの１つを選択することと
を備える、ワイヤレス通信の方法。
[Ｃ２]  前記第１の基地局と前記第２の基地局とへの前記ＵＥのデュアル接続性のための、第１のゲートウェイノードを介してルーティングされるベアラの変更を要求することをさらに備える、Ｃ１に記載の方法。
[Ｃ３]  前記ベアラの変更を要求することに応答して、サービングゲートウェイ再配置の指示を受信することをさらに備える、Ｃ２に記載の方法。
[Ｃ４]  前記デュアル接続性が許可されるかどうかを決定することは、前記第２の基地局の識別情報に少なくとも部分的に基づく、Ｃ１に記載の方法。
[Ｃ５]  前記デュアル接続性が許可されるかどうかを決定することは、前記第１の基地局の構成に少なくとも部分的に基づく、Ｃ１に記載の方法。
[Ｃ６]  前記デュアル接続性が許可されるかどうかを決定することは、前記デュアル接続性をサポートする前記第２の基地局の能力に少なくとも部分的に基づく、Ｃ１に記載の方法。
[Ｃ７]  前記デュアル接続性が許可されるかどうかを決定することは、モビリティ管理エンティティ（ＭＭＥ）または別の基地局のうちの少なくとも１つによって前記第１の基地局に与えられた前記ＵＥへの前記接続のためのコンテキスト情報に少なくとも部分的に基づく、Ｃ１に記載の方法。
[Ｃ８]  前記デュアル接続性が許可されるかどうかを決定することは、前記ＵＥの能力に少なくとも部分的に基づく、Ｃ１に記載の方法。
[Ｃ９]  前記決定することは、前記ＵＥに関連付けられた１つまたは複数のベアラのサービス品質要件に少なくとも部分的に基づく、Ｃ１に記載の方法。
[Ｃ１０]  前記選択することは、前記デュアル接続性を開始することに対する前記ハンドオーバすることについての定義済みの優先度に少なくとも部分的に基づく、Ｃ１に記載の方法。
[Ｃ１１]  前記選択することは、測定基準に少なくとも部分的にさらに基づく、Ｃ１に記載の方法。
[Ｃ１２]  前記選択することは、前記ＵＥに関連付けられた１つまたは複数のベアラのトラフィック量に少なくとも部分的にさらに基づく、Ｃ１に記載の方法。
[Ｃ１３]  ワイヤレス通信システムの第１の基地局によってユーザ機器（ＵＥ）への接続を確立するための手段と、
前記ＵＥが前記第１の基地局に接続されている間にも接続することが可能である第２の基地局を識別するための手段と、
前記第１の基地局と前記第２の基地局とへの前記ＵＥのデュアル接続性が許可されるかどうかを決定するための手段と、
前記決定することに基づいて、前記ＵＥを前記第２の基地局にハンドオーバすること、または、前記第２の基地局への前記ＵＥのための前記デュアル接続性を開始すること、のうちの１つを選択するための手段と
を備える、ワイヤレス通信のために構成された装置。
[Ｃ１４]  デュアル接続性が許可されるかどうかを決定することは、前記第２の基地局の識別情報、前記第１の基地局の構成、前記デュアル接続性をサポートする前記第２の基地局の能力、モビリティ管理エンティティ（ＭＭＥ）若しくは別の基地局のうちの少なくとも１つによって前記第１の基地局に与えられた前記ＵＥへの前記接続のためのコンテキスト情報、前記ＵＥの能力、または、前記ＵＥに関連付けられた１つまたは複数のベアラのサービス品質要件、のうちの１つまたは複数に少なくとも部分的に基づく、Ｃ１３に記載の装置。
[Ｃ１５]  前記選択することは、前記デュアル接続性を前記開始することに対する前記ハンドオーバすることについての定義済みの優先度、測定基準、または、前記ＵＥに関連付けられた１つまたは複数のベアラのトラフィック量、のうちの１つまたは複数に少なくとも部分的に基づく、Ｃ１３に記載の装置。
[Ｃ１６]  プロセッサによって実行されたとき、コンピュータに、
コアネットワークエンティティによって、マスタ基地局と２次基地局とへのユーザ機器（ＵＥ）のデュアル接続性のための、第１のゲートウェイノードを介してルーティングされるベアラの変更についての要求を受信することと、
前記変更は前記ベアラが第２のゲートウェイノードに再配置されることを必要とすると決定することと、
前記決定することに基づいて、前記要求を拒否すること、または、前記ＵＥに関連付けられたすべての前記ベアラを前記第２のゲートウェイノードに再配置すること、のうちの少なくとも１つを実施することと
を備えるステップを実施させる、符号化された命令を保持する非一時的コンピュータ可読媒体。
[Ｃ１７]  前記実施することは、前記ＵＥに関連付けられた前記ベアラのすべてよりも少ないベアラが変更についての前記要求の中に含まれる場合、前記要求を拒否することを備える、Ｃ１６に記載のコンピュータ可読媒体。
[Ｃ１８]  前記実施することは、前記２次基地局への前記ＵＥのデュアル接続性が許可されない場合、前記要求を拒否することを備える、Ｃ１６に記載のコンピュータ可読媒体。
[Ｃ１９]  前記実施することは、前記ベアラのうちの１つまたは複数が前記２次基地局におけるデュアル接続性に対して許可されない場合、前記要求を拒否することを備える、Ｃ１６に記載のコンピュータ可読媒体。
[Ｃ２０]  前記ステップは、前記拒否することの理由を示すメッセージで前記要求に返答することをさらに備え、
前記理由は、ゲートウェイノード再配置が必要とされること、ゲートウェイ再配置がサポートされないこと、前記２次基地局とのデュアル接続性が許可されないこと、および、変更が要求されたベアラが、特定のベアラの識別情報を含むデュアル接続性に対して許可されないこと、のうちの１つまたは複数を備える、Ｃ１６に記載のコンピュータ可読媒体。
[Ｃ２１]  前記ステップは、ベアラの変更についての前記要求の中に含まれる識別子に基づいて、前記マスタ基地局および前記２次基地局のうちの１つまたは複数を識別することをさらに備える、Ｃ１６に記載のコンピュータ可読媒体。
[Ｃ２２]  前記ステップは、ベアラの変更についての前記要求の中で、前記ＵＥに関連付けられたベアラを前記マスタ基地局または前記２次基地局によってサービスされていると識別することをさらに備える、Ｃ１６に記載のコンピュータ可読媒体。
[Ｃ２３]  前記ＵＥに関連付けられたすべての前記ベアラを前記第２のゲートウェイノードに再配置することは、前記ＵＥに関連付けられた、前記要求の中に含まれない前記ベアラを前記第２のゲートウェイノードに再配置されるように変更することを備え、
前記ＵＥに関連付けられた、前記要求の中に含まれない前記ベアラが前記マスタ基地局によってサービスされ続ける、
Ｃ１６に記載のコンピュータ可読媒体。
[Ｃ２４]  ゲートウェイノードの再配置が必要とされると決定することは、前記２次基地局の識別情報に基づく、Ｃ１６に記載のコンピュータ可読媒体。
[Ｃ２５]  ゲートウェイノードの再配置が必要とされると決定することは、前記２次基地局が前記第１のゲートウェイノードによってサービスされるか否かに基づく、Ｃ１６に記載のコンピュータ可読媒体。
[Ｃ２６]  ワイヤレス通信のために構成された装置であって、前記装置は、
少なくとも１つのプロセッサと、
前記少なくとも１つのプロセッサに結合されたメモリと
を備え、
前記少なくとも１つのプロセッサは、
コアネットワークエンティティによって、マスタ基地局と２次基地局とへのユーザ機器（ＵＥ）のデュアル接続性のための、第１のゲートウェイノードを介してルーティングされるベアラの変更についての要求を受信することと、
前記変更は前記ベアラが第２のゲートウェイノードに再配置されることを必要とすると決定することと、
前記決定することに基づいて、前記要求を拒否すること、または、前記ＵＥに関連付けられたすべての前記ベアラを前記第２のゲートウェイノードに再配置すること、のうちの少なくとも１つを実施することと
を行うように構成された、
装置。
[Ｃ２７]  前記実施することは、前記ＵＥに関連付けられた前記ベアラのすべてよりも少ないベアラが変更についての前記要求の中に含まれる場合、または前記２次基地局への前記ＵＥのデュアル接続性が許可されない場合、または前記ベアラのうちの１つまたは複数が前記２次基地局におけるデュアル接続性に対して許可されない場合、前記要求を拒否することを備える、Ｃ２６に記載の装置。
[Ｃ２８]  前記ＵＥに関連付けられたすべての前記ベアラを前記第２のゲートウェイノードに再配置することは、前記ＵＥに関連付けられた、前記要求の中に含まれない前記ベアラを前記第２のゲートウェイノードに再配置されるように変更することを備え、
前記ＵＥに関連付けられた、前記要求の中に含まれない前記ベアラは、前記マスタ基地局によってサービスされ続ける、
Ｃ２６に記載の装置。
[Ｃ２９]  ゲートウェイノードの再配置が必要とされると決定することは、前記２次基地局の識別情報に基づく、Ｃ２６に記載の装置。
[Ｃ３０]  ゲートウェイノードの再配置が必要とされると決定することは、前記２次基地局が前記第１のゲートウェイノードによってサービスされるか否かに基づく、Ｃ２６に記載の装置。